(57)【要約】      （修正有）【課題】Ｄ２Ｄ中継伝送における処理複雑度とデータ遅延を低減することができる、Ｄ２Ｄ中継伝送方法及び装置を提供する。【解決手段】送信側デバイスは、送信待ちのデータ又は送信待ちの情報をカプセル化処理し、第１のレイヤ２プロトコルデータユニット（ＰＤＵ）を生成しＳ２１０、中継端末デバイスは、送信側デバイスから受信側デバイスに送信された第１のレイヤ２ＰＤＵを受信しＳ２２０、中継端末デバイスは、第１のレイヤ２ＰＤＵに基づいて、第２のレイヤ２ＰＤＵを生成しＳ２３０、中継端末デバイスは、受信側デバイスに第２のレイヤ２ＰＤＵを送信するＳ２４０。ここで、第１のレイヤ２ＰＤＵに、遠端端末デバイスとして確定された受信側デバイスの識別子情報が含まれるか又は第１のレイヤ２ＰＤＵが、遠端端末デバイスの無線ネットワーク一時識別子（ＲＮＴＩ）を利用してスクランブリングするＰＤＣＣＨによってスケジューリングされる。【選択図】図３
2020162141.tif 000002
【特許請求の範囲】
【請求項１】
中継伝送方法であって、
送信側デバイスは、受信側デバイスへの送信待ちのデータに対してカプセル化処理を行い、第１のレイヤ２プロトコルデータユニット（ＰＤＵ）を生成することと、
前記送信側デバイスは、中継端末デバイスに前記第１のレイヤ２ＰＤＵを送信することと、
を含み、
ここで、前記第１のレイヤ２ＰＤＵに遠端端末デバイスの識別子情報が含まれ、又は前記第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものであり、
ここで、前記送信側デバイスが前記遠端端末デバイスであり、且つ前記受信側デバイスがネットワークデバイスであり、又は前記送信側デバイスがネットワークデバイスであり、且つ前記受信側デバイスが前記遠端端末デバイスである、
ことを特徴とする前記中継伝送方法。
【請求項２】
前記遠端端末デバイスの識別子情報は、前記遠端端末デバイスの端末デバイス識別子又は前記遠端端末デバイスのレイヤ２識別子を含む、
ことを特徴とする請求項1に記載の中継伝送方法。
【請求項３】
前記遠端端末デバイスのレイヤ２識別子は、メディアアクセス制御（ＭＡＣ）層、パケットデータ収束プロトコル（ＰＤＣＰ）層、及び無線リンク制御（ＲＬＣ）層のうちの少なくとも一つのレイヤに設定され、又は、
前記送信側デバイスのレイヤ２はアダプテーション層を含み、前記アダプテーション層はＭＡＣ層とＰＤＣＰ層との間に位置し、しかも前記遠端端末デバイスのレイヤ２識別子は、アダプテーション層に設定される、
ことを特徴とする請求項2に記載の中継伝送方法。
【請求項４】
前記送信側デバイスがネットワークデバイスである場合、前記第１のレイヤ２ＰＤＵは具体的にＭＡＣ  ＰＤＵであり、
前記送信側デバイスが前記遠端端末デバイスである場合、前記第１のレイヤ２ＰＤＵは、前記遠端端末デバイスと前記中継端末デバイスとの間のＤ２Ｄ通信技術に対応する、
ことを特徴とする請求項1〜3のいずれか１項に記載の中継伝送方法。
【請求項５】
前記遠端端末デバイスの識別子情報は、ＭＡＣ  ＰＤＵのＭＡＣ制御要素フィールドにベアリングされる、
ことを特徴とする請求項4に記載の中継伝送方法。
【請求項６】
前記第１のレイヤ２ＰＤＵは、中継特定ロジックチャネル識別子を含み、前記中継特定ロジックチャネル識別子が、前記中継端末デバイスが、前記第１のレイヤ２ＰＤＵに含まれるデータを転送する必要があることを確定するために用いられる、
ことを特徴とする請求項1〜5のいずれか１項に記載の中継伝送方法。
【請求項７】
前記送信側デバイスが前記遠端端末デバイスである場合、前記送信側デバイスは、中継端末デバイスに前記第１のレイヤ２ＰＤＵを送信することは、
前記遠端端末デバイスは、中継伝送のための伝送リソースを使用して、前記中継端末デバイスに前記第１のレイヤ２ＰＤＵを送信すること、を含む、
ことを特徴とする請求項1〜5のいずれか１項に記載の中継伝送方法。
【請求項８】
前記送信側デバイスがネットワークデバイスである場合、在前記送信側デバイスが、中継端末デバイスに前記第１のレイヤ２ＰＤＵを送信する前に、前記方法は、
前記送信側デバイスは、前記中継端末デバイスに中継特定ＲＮＴＩを使用してスクランブリングするＰＤＣＣＨを送信することをさらに含み、前記ＰＤＣＣＨが前記第１のレイヤ２ＰＤＵをスケジューリングするために用いられ、ここで、前記中継特定ＲＮＴＩが、前記中継端末デバイスが前記第１のレイヤ２ＰＤＵに含まれるデータを転送する必要があることを確定するために用いられる、
ことを特徴とする請求項1〜7のいずれか１項に記載の中継伝送方法。
【請求項９】
前記送信側デバイスがネットワークデバイスである場合、前記送信側デバイスが第１のレイヤ２ＰＤＵを生成する前に、前記方法は、
前記ネットワークデバイスはベアラ確立要求を受信することと、
前記ネットワークデバイスは、前記ベアラ確立要求に基づいて、前記遠端端末デバイスの進化型パケットシステム（ＥＰＳ）ベアラを確立することと、
前記ネットワークデバイスは、前記中継端末デバイスにベアラ確立応答を送信することと、
を含み、
前記ベアラ確立要求が前記遠端端末デバイスの端末デバイス識別子を含み、
ここで、前記ＥＰＳベアラが、前記ネットワークデバイスと前記中継端末デバイスとの間のセルラーデータ伝送チャネル、及び前記中継端末デバイスと前記遠端端末デバイスとの間のＤ２Ｄデータ伝送チャネルを含み、
前記ベアラ確立応答が前記ＥＰＳベアラの構成情報を含む、
ことを特徴とする請求項1〜7のいずれか１項に記載の中継伝送方法。
【請求項１０】
前記ＥＰＳベアラの構成情報は、ＭＡＣ層構成情報と物理層構成情報とを含み、又は
前記ＥＰＳベアラの構成情報は、ＭＡＣ層構成情報と物理層構成情報とを含み、しかもＰＤＣＰ層構成情報とＲＬＣ層構成情報のうちの少なくとも一つを含む、
ことを特徴とする請求項9に記載の中継伝送方法。
【請求項１１】
前記ＥＰＳベアラの構成情報は、前記ネットワークデバイスが前記遠端端末デバイスに割り当てるレイヤ２識別子及び／又はＲＮＴＩを含む、
ことを特徴とする請求項9又は10に記載の中継伝送方法。
【請求項１２】
中継伝送方法であって、
受信側デバイスは、中継端末デバイスより送信される第２のレイヤ２プロトコルデータユニット（ＰＤＵ）を受信することと、
前記受信側デバイスは、前記第２のレイヤ２ＰＤＵに対応する前記遠端端末デバイスを確定することと、
を含み、
前記第２のレイヤ２ＰＤＵが、前記中継端末デバイスが送信側デバイスより送信される第１のレイヤ２ＰＤＵに基づいて生成されるものであり、前記第１のレイヤ２ＰＤＵに遠端端末デバイスの識別子情報が含まれ、又は前記第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものであり、
ここで、前記送信側デバイスが前記遠端端末デバイスであり、且つ前記受信側デバイスがネットワークデバイスであり、又は前記送信側デバイスがネットワークデバイスであり、且つ前記受信側デバイスが前記遠端端末デバイスである、
ことを特徴とする前記中継伝送方法。
【請求項１３】
前記遠端端末デバイスの識別子情報は、前記遠端端末デバイスの端末デバイス識別子又は前記遠端端末デバイスのレイヤ２識別子を含む、
ことを特徴とする請求項12に記載の中継伝送方法。
【請求項１４】
前記遠端端末デバイスのレイヤ２識別子は、メディアアクセス制御（ＭＡＣ）層、パケットデータ収束プロトコル（ＰＤＣＰ）層、及び無線リンク制御（ＲＬＣ）層のうちの少なくとも一つのレイヤに設定され、又は、
前記送信側デバイスと前記受信側デバイスとのレイヤ２はアダプテーション層を含み、前記アダプテーション層はＭＡＣ層とＰＤＣＰ層との間に位置し、しかも前記遠端端末デバイスのレイヤ２識別子は、アダプテーション層に設定される、
ことを特徴とする請求項13に記載の中継伝送方法。
【請求項１５】
前記受信側デバイスが前記遠端端末デバイスである場合、前記第２のレイヤ２ＰＤＵは、前記遠端端末デバイスの端末デバイス識別子を含み、
前記受信側デバイスが、前記第２のレイヤ２ＰＤＵに対応する前記遠端端末デバイスを確定することは、
前記受信側デバイスは、前記第２のレイヤ２ＰＤＵに含まれている端末デバイス識別子に基づいて、前記第２のレイヤ２ＰＤＵに対応する前記遠端端末デバイスを確定することを含む、
ことを特徴とする請求項13又は14に記載の中継伝送方法。
【請求項１６】
前記受信側デバイスが前記ネットワークデバイスである場合、前記受信側デバイスが中継端末デバイスより送信される第２のレイヤ２ＰＤＵを受信する前に、前記方法は、
前記ネットワークデバイスは、前記中継端末デバイスより送信される前記遠端端末デバイスに対応するプリアンブルコードを受信することと、
前記ネットワークデバイスは、前記プリアンブルコードに基づいて、前記中継端末デバイスにアップリンク許可を送信することと、
さらに含み、前記アップリンク許可が、前記ネットワークデバイスが割り当てるアップリンク伝送リソースを含み、
前記受信側デバイスが、中継端末デバイスより送信される第２のレイヤ２ＰＤＵを受信することは、
前記ネットワークデバイスは、前記中継端末デバイスが前記アップリンク伝送リソースを使用して送信する第２のレイヤ２ＰＤＵを受信することを含み、
前記受信側デバイスが、前記第２のレイヤ２ＰＤＵに対応する前記遠端端末デバイスを確定することは、
前記中継端末デバイスは、前記第２のレイヤ２ＰＤＵに占用されるアップリンク伝送リソースに基づいて、前記第２のレイヤ２ＰＤＵに対応する前記遠端端末デバイスを確定することを含む、
ことを特徴とする請求項12〜14のいずれか１項に記載の中継伝送方法。
【請求項１７】
前記受信側デバイスがネットワークデバイスである場合、前記受信側デバイスが中継端末デバイスより送信される第２のレイヤ２ＰＤＵを受信する前に、前記方法は、
前記ネットワークデバイスは、前記中継端末デバイスより送信されるバッファ状態報告（ＢＳＲ）を受信することと、
前記ネットワークデバイスは、前記ＢＳＲに基づいて、前記中継端末デバイスにＰＤＣＣＨを送信することと、
をさらに含み、ここで、前記ＢＳＲが前記遠端端末デバイスの識別子情報を含み、前記ＰＤＣＣＨが前記遠端端末デバイスの識別子情報を含み、
前記受信側デバイスが、前記第２のレイヤ２ＰＤＵに対応する前記遠端端末デバイスを確定することは、
前記受信側デバイスは、前記第２のレイヤ２ＰＤＵをスケジューリングするためのＰＤＣＣＨに基づいて、前記第２のレイヤ２ＰＤＵに対応する前記遠端端末デバイスを確定することを含む、
ことを特徴とする請求項12〜14のいずれか１項に記載の中継伝送方法。
【請求項１８】
前記受信側デバイスがネットワークデバイスである場合、前記遠端端末デバイスの識別子情報は、前記遠端端末デバイスの端末デバイス識別子を含み、前記第２のレイヤ２ＰＤＵは、前記遠端端末デバイスのレイヤ２識別子を含み、
前記受信側デバイスが、前記第２のレイヤ２ＰＤＵに対応する前記遠端端末デバイスを確定することは、
前記受信側デバイスは、前記第２のレイヤ２ＰＤＵに含まれているレイヤ２識別子に基づいて、前記第２のレイヤ２ＰＤＵに対応する前記遠端端末デバイスを確定することを含む、
ことを特徴とする請求項12〜14のいずれか１項に記載の中継伝送方法。
【発明の詳細な説明】
【技術分野】
【０００１】
本発明は通信分野に関し、さらに具体的に中継伝送方法及び装置に関する。
【背景技術】
【０００２】
デバイスツーデバイス（Ｄ２Ｄ：Ｄｅｖｉｃｅ−ｔｏ−Ｄｅｖｉｃｅ）技術は、隣接する端末デバイスが、ネットワークデバイスによる転送を必要とせずに、近距離範囲内でダイレクトリンクの方式によってデータ伝送することを意味する。Ｄ２Ｄ通信において、セルラーシステムと許可済み帯域リソースを共有し、統一したハイブリッドセルラー−Ｄ２Ｄネットワークが形成されることが可能である。当該ハイブリッドネットワークにおいて、一部の端末デバイスは、変わらずにセルラー通信モードで動作し、即ち、ネットワークデバイスを介してその他の端末デバイスと通信することが可能であり、そして一部の端末デバイスは、Ｄ２Ｄ通信モードで動作し、即ち、その他の端末デバイスとの間のダイレクトリンクを介して、その他の端末デバイスとデータの直接伝送を行うことが可能である。
【０００３】
それ以外、Ｄ２Ｄ中継によってネットワークデバイスと端末デバイスとのデータ伝送を補助することができ、この場合、Ｄ２Ｄ中継とＤ２Ｄ端末との間ではＤ２Ｄ通信モードを利用し、そしてＤ２Ｄ中継とネットワークデバイスとの間ではセルラー通信モードを利用する。Ｄ２Ｄ中継は、半二重の方式を用いてデータを受信と伝送し、受信と伝送の過程の中でモードの変換を行う。
【０００４】
従来技術において、Ｄ２Ｄ中継は、インターネットプロトコル（ＩＰ：Ｉｎｔｅｒｎｅｔ  Ｐｒｏｔｏｃｏｌ）レイヤ（即ち、レイヤ３）を介してＤ２Ｄ端末とネットワークデバイスとの間のデータ伝送を中継し、受信されたデータパケットに対して、レイヤ１（即ち、物理層）、レイヤ２（メディアアクセス制御（ＭＡＣ：Ｍｅｄｉａ  Ａｃｃｅｓｓ  Ｃｏｎｔｒｏｌ）層、無線リンク制御（ＲＬＣ：Ｒａｄｉｏ  Ｌｉｎｋ  Ｃｏｎｔｒｏｌ）層、及びパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層を含む）、及びレイヤ３を順次に経由してデカプセル化処理を行う必要があり、そしてレイヤ３、レイヤ２、及びレイヤ１のカプセル化処理を順次に経て、データの中継を実現し、複雑度が高く、データ処理の遅延が大きい。
【発明の概要】
【０００５】
本発明の実施例は、中継伝送方法及び装置を提供し、中継伝送の処理複雑度とデータ遅延を低減することができる。
【０００６】
第１の態様において、中継伝送方法を提供し、中継端末デバイスは、送信側デバイスから受信側デバイスに送信された第１のレイヤ２ＰＤＵを受信することと、当該中継端末デバイスは、当該第１のレイヤ２ＰＤＵに基づいて、第２のレイヤ２ＰＤＵを生成することと、当該中継端末デバイスは、当該受信側デバイスに当該第２のレイヤ２ＰＤＵを送信することと、を含み、ここで、当該第１のレイヤ２ＰＤＵに遠端端末デバイスの識別子情報が含まれ、又は当該第１のレイヤ２ＰＤＵが、当該遠端端末デバイスのＲＮＴＩを利用してスクランブリングするＰＤＣＣＨによってスケジューリングされ、ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０００７】
任意選択で、当該中継端末デバイスの中継伝送のためのユーザプレーンプロトコルスタックはレイヤ１とレイヤ２を含むことが可能であり、ここで、レイヤ２はＭＡＣ層のみを含んでも良く、又はＲＬＣ層とＰＤＣＰ層のうちの少なくとも一つのレイヤをさらに含んでも良い。
【０００８】
任意選択で、当該中継端末デバイスのユーザプレーンプロトコルスタックはレイヤ３（即ち、ＩＰ層）を含まなくても良い。
【０００９】
任意選択で、当該中継端末デバイスは、当該遠端端末デバイスの識別子情報又はＲＮＴＩに基づいて、当該受信側デバイスに当該第１のレイヤ２ＰＤＵに含まれるデータを転送することができる。任意選択で、当該中継端末デバイスは、レイヤ２において当該第１のレイヤ２ＰＤＵに基づいて、第２のレイヤ２ＰＤＵを生成することができ、例えば、レイヤ２において当該第１のレイヤ２ＰＤＵに含まれるデータに対してカプセル化処理を行い、第２のレイヤ２ＰＤＵを得て、受信側デバイスに当該第２のレイヤ２ＰＤＵを送信する。
【００１０】
任意選択で、当該中継端末デバイスは、当該遠端端末デバイスの識別子情報又はＲＮＴＩに基づいて、当該第１のレイヤ２ＰＤＵに対応する当該遠端端末デバイスを確定することができ、例えば、レイヤ２において当該遠端端末デバイスの識別子情報を識別し、当該第１のレイヤ２ＰＤＵに対応する当該遠端端末デバイスを確定し、当該遠端端末デバイスに基づいて、当該受信側デバイスに当該第１のレイヤ２ＰＤＵに含まれるデータを転送する。例えば、当該中継端末デバイスが当該受信側デバイスに送信する第２のレイヤ２ＰＤＵに当該遠端端末デバイスの識別子情報が含まれ、又は当該第２のレイヤ２ＰＤＵが、当該ネットワークデバイスが当該遠端端末デバイスに割り当てるアップリンク伝送リソースを利用して送信されるものである。任意選択で、当該ネットワークデバイスが当該遠端端末デバイスに割り当てるアップリンク伝送リソースは、当該ネットワークデバイスが当該中継端末デバイスより送信される、当該遠端端末デバイスに対応するプリアンブルコードに基づいて割り当てられるものであっても良く、又は当該ネットワークデバイスが当該中継端末デバイスより送信される、当該遠端端末デバイスの識別子情報を含むＢＳＲに基づいて割り当てられるものであっても良い。
【００１１】
第１の態様の第１の可能な実現形態において、当該遠端端末デバイスの識別子情報は、当該遠端端末デバイスのレイヤ２識別子又は当該遠端端末デバイスの端末デバイス識別子を含む。
【００１２】
任意選択で、当該中継端末デバイスは、レイヤ２において当該遠端端末デバイスの識別子情報を識別することができる。
【００１３】
上記の可能な実現形態を結合し、第１の態様の第２の可能な実現形態において、当該遠端端末デバイスのレイヤ２識別子がＭＡＣ層、ＰＤＣＰ層、及びＲＬＣ層のうちの一つのレイヤに設定され、又は、当該遠端端末デバイスと当該ネットワークデバイスとのレイヤ２はアダプテーション層を含み、当該アダプテーション層はＭＡＣ層とＰＤＣＰ層との間に位置し、しかも当該遠端端末デバイスのレイヤ２識別子がアダプテーション層に設定する。
【００１４】
この場合、任意選択で、遠端端末デバイスの識別子情報（例えば、レイヤ２識別子）がアダプテーション層に設定され、即ち、アダプテーション層においてカプセル化と識別を行う場合、当該中継端末デバイスのレイヤ２はアダプテーション層を含むことが可能であり、アダプテーション層において当該第１のレイヤ２ＰＤＵに対応する遠端端末デバイスを確定する。
【００１５】
又は、当該中継端末デバイスのレイヤ２がアダプテーション層を含まなくても良く、この場合、当該中継端末デバイスは、レイヤ２において当該第１のレイヤ２ＰＤＵに対応する遠端端末デバイスを識別せずに、当該第１のレイヤ２ＰＤＵに含まれるデータに対してカプセル化処理を行い、第２のレイヤ２ＰＤＵを生成することが可能である。任意選択で、当該中継端末デバイスは、ネットワークデバイスに送信する第２のレイヤ２ＰＤＵに中継特定ロジックチャネル識別子を含ませることが可能であり、それによって、当該ネットワークデバイスが当該中継特定ロジックチャネル識別子に基づいて当該第２のレイヤ２ＰＤＵに含まれている中継データを確定し、アダプテーション層において当該第２のレイヤ２ＰＤＵに対応する遠端端末デバイスを確定することができ、又は当該中継端末デバイスは、中継伝送のための伝送リソースを使用して、遠端端末デバイスに当該第２のレイヤ２ＰＤＵを送信することができ、それによって、当該遠端端末デバイスが当該伝送リソースに基づいて、当該第２のレイヤ２ＰＤＵに含まれている中継データを確定し、しかもアダプテーション層において当該第２のレイヤ２ＰＤＵが自身に送信されるか否かを確定することができるようにする。
【００１６】
上記の可能な実現形態を結合し、第１の態様の第３の可能な実現形態において、当該送信側デバイスが当該ネットワークデバイスであり、且つ当該受信側デバイスが当該遠端端末デバイスである場合、当該遠端端末デバイスの識別子情報は当該遠端端末デバイスのレイヤ２識別子を含み、当該中継端末デバイスが、当該第１のレイヤ２ＰＤＵに基づいて、第２のレイヤ２ＰＤＵを生成することは、当該中継端末デバイスは当該レイヤ２識別子に対応する端末デバイス識別子を確定することと、当該中継端末デバイスは、当該第１のレイヤ２ＰＤＵに含まれるデータに対してカプセル化処理を行い、第２のレイヤ２ＰＤＵを生成することを含み、ここで、当該第２のレイヤ２ＰＤＵが当該に対応する端末デバイス識別子を含む。
【００１７】
上記の可能な実現形態を結合し、第１の態様の第４の可能な実現形態において、当該送信側デバイスが当該遠端端末デバイスであり、かつ当該受信側デバイスが当該ネットワークデバイスである場合、当該中継端末デバイスが、当該第１のレイヤ２ＰＤＵに基づいて、第２のレイヤ２ＰＤＵを生成する前に、当該方法は、当該中継端末デバイスは当該遠端端末デバイスの識別子情報に対応するプリアンブルコードを確定することと、当該中継端末デバイスは、当該ネットワークデバイスに当該プリアンブルコードを送信することと、当該中継端末デバイスは、当該ネットワークデバイスが当該プリアンブルコードに基づいて送信するアップリンク許可（ＵＬ  Ｇｒａｎｔ）を受信することをさらに含み、当該アップリンク許可が当該ネットワークデバイスにより割り当てられたアップリンク伝送リソースを含み、当該中継端末デバイスが、当該受信側デバイスに当該第２のレイヤ２ＰＤＵを送信することは、当該中継端末デバイスは、当該アップリンク伝送リソースを使用して当該ネットワークデバイスに当該第２のレイヤ２ＰＤＵを送信することを含む。
【００１８】
上記の可能な実現形態を結合し、第１の態様の第５の可能な実現形態において、当該送信側デバイスが当該遠端端末デバイスであり、且つ当該受信側デバイスがネットワークデバイスである場合、当該中継端末デバイスが、当該受信側デバイスに当該第２のレイヤ２ＰＤＵを送信する前に、当該方法は、当該中継端末デバイスは当該ネットワークデバイスにＢＳＲを送信することと、当該中継端末デバイスは、当該ネットワークデバイスが当該ＢＳＲに基づいて送信したＰＤＣＣＨを受信することと、をさらに含み、ここで、当該ＢＳＲに当該遠端端末デバイスの識別子情報が含まれ、当該ＰＤＣＣＨに当該遠端端末デバイスの識別子情報が含まれ、当該中継端末デバイスが、当該受信側デバイスに当該第２のレイヤ２ＰＤＵを送信することは、当該中継端末デバイスは、当該ＰＤＣＣＨに基づいて、当該ネットワークデバイスに当該第２のレイヤ２ＰＤＵを送信することを含む。
【００１９】
当該ＰＤＣＣＨは、アップリンク許可を含むことが可能である。当該中継端末デバイスは、当該ＰＤＣＣＨ内のアップリンク許可に基づいて、ネットワークデバイスが当該遠端端末デバイスに割り当てるアップリンク伝送リソースを確定し、当該伝送リソースを使用して当該第２のレイヤ２ＰＤＵを送信することができる。
【００２０】
上記の可能な実現形態を結合し、第１の態様の第６の可能な実現形態において、当該送信側デバイスが当該遠端端末デバイスであり、且つ当該受信側デバイスがネットワークデバイスである場合、当該遠端端末デバイスの識別子情報は当該遠端端末デバイスの端末デバイス識別子を含み、当該中継端末デバイスが、当該第１のレイヤ２ＰＤＵに基づいて、第２のレイヤ２ＰＤＵを生成することは、当該中継端末デバイスは、当該端末デバイス識別子に対応するレイヤ２識別子を確定することと、当該中継端末デバイスは、当該第１のレイヤ２ＰＤＵに含まれるデータに対してカプセル化処理を行い、第２のレイヤ２ＰＤＵを生成することを含み、ここで、当該第２のレイヤ２ＰＤＵに当該に対応するレイヤ２識別子が含まれる。
【００２１】
上記の可能な実現形態を結合し、第１の態様の第７の可能な実現形態において、当該第１のレイヤ２ＰＤＵと当該第２のレイヤ２ＰＤＵとのうちの、Ｄ２Ｄ通信インターフェースを介して伝送するＰＤＵは、当該中継端末デバイスと当該遠端端末デバイスとの間で使用されるＤ２Ｄ通信技術に対応し、当該第１のレイヤ２ＰＤＵと当該第２のレイヤ２ＰＤＵとのうちの、セルラー通信インターフェースを介して伝送されるレイヤ２ＰＤＵは、具体的にＭＡＣ  ＰＤＵである。
【００２２】
当該Ｄ２Ｄ通信インターフェースは、具体的に、当該遠端端末デバイスと中継端末デバイスと間の通信インターフェースであり、例えば、当該Ｄ２Ｄ通信インターフェースは、具体的にＰＣ５インターフェースであっても良く、当該セルラー通信インターフェースは、当該中継端末デバイスと当該ネットワークデバイスとの間の通信インターフェースであり、例えば、当該セルラー通信インターフェースはＵｕインターフェースであっても良い。
【００２３】
任意選択で、当該セルラー通信インターフェースを介して伝送されるＰＤＵは、具体的にＲＬＣ  ＰＤＵ又はＰＤＣＰ  ＰＤＵであっても良い。
【００２４】
任意選択で、当該Ｄ２Ｄ通信技術がＬＴＥにおけるサイドリンク技術である場合、当該ＰＣ５インターフェースを介して伝送されるＰＤＵは、具体的に、ＭＡＣ  ＰＤＵ、ＲＬＣ  ＰＤＵ又はＰＤＣＰ  ＰＤＵであっても良い。任意選択で、当該Ｄ２Ｄ通信技術がＷＬＡＮ技術である場合、当該ＰＣ５インターフェースを介して伝送されるＰＤＵは、具体的に、ＷＬＡＮにおける対応するレイヤ２のＰＤＵであっても良い。
【００２５】
上記の可能な実現形態を結合し、第１の態様の第８の可能な実現形態において、当該遠端端末デバイスの識別子情報は、ＭＡＣ  ＰＤＵのＭＡＣ制御要素フィールドにベアリングされる。
【００２６】
上記の可能な実現形態を結合し、第１の態様の第９の可能な実現形態において、当該第１のレイヤ２ＰＤＵは、中継特定ロジックチャネル識別子を含み、当該中継端末デバイスが、当該第１のレイヤ２ＰＤＵに基づいて、第２のレイヤ２ＰＤＵを生成する前に、当該方法は、当該中継端末デバイスは、当該中継特定ロジックチャネル識別子に基づいて、当該第１のレイヤ２ＰＤＵに含まれるデータを転送する必要があることを確定することをさらに含む。
【００２７】
任意選択で、当該送信側デバイスが当該遠端端末デバイスであり、且つ当該受信側デバイスがネットワークデバイスである場合、当該第２のレイヤ２ＰＤＵは、中継特定ロジックチャネル識別子を含む。ネットワークデバイスは、当該中継特定ロジックチャネル識別子に基づいて、当該第２のレイヤ２ＰＤＵに含まれるデータが当該中継端末デバイスにより伝送されるものであることを確定することができる。
【００２８】
上記の可能な実現形態を結合し、第１の態様の第１０の可能な実現形態において、当該送信側デバイスが当該遠端端末デバイスであり、且つ当該受信側デバイスがネットワークデバイスである場合、当該第１のレイヤ２ＰＤＵは、当該遠端端末デバイスが中継伝送のための伝送リソースを使用して送信するものであり、当該中継端末デバイスが、当該第１のレイヤ２ＰＤＵに基づいて、第２のレイヤ２ＰＤＵを生成する前に、当該方法は、当該中継端末デバイスは当該伝送リソースに基づいて、当該第１のレイヤ２ＰＤＵに含まれるデータを転送する必要があることを確定することをさらに含む。
【００２９】
任意選択で、当該送信側デバイスがネットワークデバイスであり、且つ当該受信側デバイスが当該遠端端末デバイスである場合、当該中継端末デバイスは、中継伝送のための伝送リソースによって、当該遠端端末デバイスに当該第２のレイヤ２ＰＤＵを送信することができる。当該遠端端末デバイスは、当該第２のレイヤ２ＰＤＵに占用される伝送リソースに基づいて、当該第２のレイヤ２ＰＤＵに含まれるデータが中継端末デバイスにより転送されるものであることを確定することができる。
【００３０】
上記の可能な実現形態を結合し、第１の態様の第１１の可能な実現形態において、当該送信側デバイスが当該ネットワークデバイスであり、かつ当該受信側デバイスが遠端端末デバイスである場合、当該第１のレイヤ２ＰＤＵは、ネットワークデバイスが中継特定ＲＮＴＩによりスクランブリングするＰＤＣＣＨによってスケジューリングされるものであり、当該中継端末デバイスが、当該第１のレイヤ２ＰＤＵに基づいて、第２のレイヤ２ＰＤＵを生成する前に、当該方法は、当該中継端末デバイスは、当該第１のレイヤ２ＰＤＵをスケジューリングするためのＰＤＣＣＨに使用される中継特定ＲＮＴＩに基づいて、当該第１のレイヤ２ＰＤＵに含まれるデータを転送する必要があることを確定することを含む。
【００３１】
この場合、当該中継端末デバイスが受信した当該第１のレイヤ２ＰＤＵは、当該中継端末デバイスが中継特定ＲＮＴＩでアドレッシングするＰＤＣＣＨによってスケジューリングされるものである。
【００３２】
任意選択で、当該受信側デバイスがネットワークデバイスであり、且つ当該ネットワークデバイスのレイヤ２がアダプテーション層を含む場合、当該第２のレイヤ２ＰＤＵに中継特定ロジックチャネル識別子が含まれても良く、ここで、当該中継特定ロジックチャネル識別子は、当該ネットワークデバイスが、当該第２のレイヤ２ＰＤＵが当該中継端末デバイスによって転送されるものであることを確定するために用いられることが可能である。
【００３３】
この場合、任意選択で、当該第２のレイヤ２ＰＤＵに、当該遠端端末デバイスの識別子情報が含まれなくても良い。
【００３４】
上記の可能な実現形態を結合し、第１の態様の第１２の可能な実現形態において、当該中継端末デバイスが送信側デバイスより送信される第１のレイヤ２ＰＤＵを受信する前に、当該方法は、当該中継端末デバイスは、当該遠端端末デバイスからの接続確立要求を受信することと、当該中継端末デバイスは当該接続確立要求に基づいて、コアネットワークデバイスにベアラ確立要求を送信することと、当該中継端末デバイスは、当該ネットワークデバイスより送信されるベアラ確立応答を受信することと、をさらに含み、当該ベアラ確立要求が当該遠端端末デバイスの端末デバイス識別子を含み、当該コアネットワークデバイスが当該ネットワークデバイスと当該遠端端末デバイスの進化型パケットシステム（ＥＰＳ）ベアラを確立することができるように、当該接続確立要求が、当該中継端末デバイスと当該遠端端末デバイスとの間のＤ２Ｄ通信リンクを確立するように要求するために用いられ、当該ベアラ確立応答が、当該ネットワークデバイスが当該遠端端末デバイスのために確立するＥＰＳベアラの構成情報を含み、ここで、当該ＥＰＳベアラが、当該ネットワークデバイスと当該中継端末デバイスとの間のセルラーデータ伝送チャネル、及び当該中継端末デバイスと当該遠端端末デバイスとの間のＤ２Ｄデータ伝送チャネルを含む。
【００３５】
上記の可能な実現形態を結合し、第１の態様の第１３の可能な実現形態において、当該ＥＰＳベアラの構成情報は、物理層構成情報とレイヤ２構成情報とを含む。
【００３６】
この場合、当該ＥＰＳベアラの構成情報は、物理層構成情報とレイヤ２構成情報とを含むことができ、ここで、任意選択で、当該レイヤ２構成情報は、レイヤ２の中の中継伝送と相関するレイヤの構成情報を含むことができ、例えば、当該レイヤ２構成情報は、レイヤ２の中の遠端端末デバイスの識別子情報を識別するためのレイヤの構成情報を含むことができ、例えば、ＭＡＣ層構成情報である。
【００３７】
任意選択で、当該物理層構成情報は、中継伝送のための伝送リソースの情報及び／又は当該遠端端末デバイスに割り当てるＲＮＴＩとプリアンブルコードのうちの少なくとも一つを含むことができ、例えば、中継端末デバイスと遠端端末デバイスとの間で中継伝送するための第１の伝送リソースの情報、及び／又は中継端末デバイスとネットワークデバイスとの間で中継伝送するための第２の伝送リソースの情報である。
【００３８】
任意選択で、当該レイヤ２構成情報は、当該ネットワークデバイスが当該遠端端末デバイスに割り当てるレイヤ２識別子及び／又は中継特定ロジックチャネル識別子を含むことができる。
【００３９】
任意選択で、当該方法は、当該中継端末デバイスは、当該遠端端末デバイスに当該第１の伝送リソースの情報及び／又はレイヤ２識別子を送信することをさらに含む。
【００４０】
上記の可能な実現形態を結合し、第１の態様の第１４の可能な実現形態において、当該ＥＰＳベアラの構成情報は、ＰＤＣＰ層構成情報とＲＬＣ層構成情報のうちの少なくとも一つの情報をさらに含み、当該方法は、当該遠端端末デバイスが当該ＰＤＣＰ層構成情報及び／又はＲＬＣ層構成情報に基づいて定義することができるように、当該遠端端末デバイスに当該ＰＤＣＰ層構成情報及び／又はＲＬＣ層構成情報を送信すること、をさらに含む。
【００４１】
第２の態様において、別の一つの中継伝送方法を提供し、送信側デバイスは、受信側デバイスへの送信待ちのデータに対してカプセル化処理を行い、第１のレイヤ２プロトコルデータユニット（ＰＤＵ）を生成することと、当該送信側デバイスは、中継端末デバイスに当該第１のレイヤ２ＰＤＵを送信することとを含み、ここで、当該第１のレイヤ２ＰＤＵに遠端端末デバイスの識別子情報が含まれ、又は当該第１のレイヤ２ＰＤＵが、遠端端末デバイスのＲＮＴＩを使用してスクランブリングするＰＤＣＣＨによってスケジューリングされるものであり、ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【００４２】
第２の態様の第１の可能な実現形態において、当該遠端端末デバイスの識別子情報は当該遠端端末デバイスの端末デバイス識別子又は当該遠端端末デバイスのレイヤ２識別子を含む。
【００４３】
上記の可能な実現形態を結合し、第２の態様の第２の可能な実現形態において、当該遠端端末デバイスのレイヤ２識別子がＭＡＣ層、ＰＤＣＰ層、及びＲＬＣ層のうちの一つのレイヤに設定され、又は、当該送信側デバイスのレイヤ２は、アダプテーション層を含み、当該アダプテーション層はＭＡＣ層とＰＤＣＰ層との間に位置し、しかも当該遠端端末デバイスのレイヤ２識別子がアダプテーション層に設定する。
【００４４】
上記の可能な実現形態を結合し、第２の態様の第３の可能な実現形態において、当該送信側デバイスがネットワークデバイスである場合、当該第１のレイヤ２ＰＤＵは具体的にＭＡＣ  ＰＤＵであり、当該送信側デバイスが当該遠端端末デバイスである場合、当該第１のレイヤ２ＰＤＵは、当該遠端端末デバイスと当該中継端末デバイスとの間のＤ２Ｄ通信技術に対応する。
【００４５】
上記の可能な実現形態を結合し、第２の態様の第３の可能な実現形態において、当該遠端端末デバイスの識別子情報は、ＭＡＣ  ＰＤＵのＭＡＣ制御要素フィールドにベアリングされる。
【００４６】
上記の可能な実現形態を結合し、第２の態様の第４の可能な実現形態において、当該第１のレイヤ２ＰＤＵは、中継特定ロジックチャネル識別子を含み、当該中継特定ロジックチャネル識別子が、当該中継端末デバイス当該第１のレイヤ２ＰＤＵに含まれるデータを転送する必要があることを確定するために用いられる。
【００４７】
上記の可能な実現形態を結合し、第２の態様の第５の可能な実現形態において、当該送信側デバイスが当該遠端端末デバイスである場合、当該送信側デバイスが、中継端末デバイスに当該第１のレイヤ２ＰＤＵを送信することは、当該遠端端末デバイスは、中継伝送のための伝送リソースを使用して当該中継端末デバイスに当該第１のレイヤ２ＰＤＵを送信することを含む。
【００４８】
上記の可能な実現形態を結合し、第２の態様の第６の可能な実現形態において、当該送信側デバイスがネットワークデバイスである場合、当該送信側デバイスが、中継端末デバイスに当該第１のレイヤ２ＰＤＵを送信する前に、当該方法は、当該送信側デバイスは、当該中継端末デバイスに、中継特定ＲＮＴＩを使用してスクランブリングするＰＤＣＣＨを送信することをさらに含み、当該ＰＤＣＣＨが当該第１のレイヤ２ＰＤＵをスケジューリングするために用いられ、ここで、当該中継特定ＲＮＴＩが、当該中継端末デバイスが、当該第１のレイヤ２ＰＤＵに含まれるデータを転送する必要があることを確定するために用いられる。
【００４９】
上記の可能な実現形態を結合し、第２の態様の第７の可能な実現形態において、当該送信側デバイスがネットワークデバイスである場合、当該送信側デバイスが第１のレイヤ２ＰＤＵを生成する前に、当該方法は、当該ネットワークデバイスはベアラ確立要求を受信することと、当該ネットワークデバイスは、当該ベアラ確立要求に基づいて、当該遠端端末デバイスのＥＰＳベアラを確立することと、をさらに含み、当該ベアラ確立要求が当該遠端端末デバイスの端末デバイス識別子を含み、ここで、当該ＥＰＳベアラが、当該ネットワークデバイスと当該中継端末デバイスとの間のセルラーデータ伝送チャネル、及び当該中継端末デバイスと当該遠端端末デバイスとの間のＤ２Ｄデータ伝送チャネルを含む。
【００５０】
上記の可能な実現形態を結合し、第２の態様の第８の可能な実現形態において、当該ＥＰＳベアラの構成情報は、ＭＡＣ層構成情報と物理層構成情報とを含み、又は、当該ＥＰＳベアラの構成情報は、ＰＤＣＰ層構成情報とＲＬＣ層構成情報のうちの少なくとも一つをさらに含む。
【００５１】
任意選択で、当該物理層構成情報は、中継伝送のための伝送リソースの情報及び／又は当該遠端端末デバイスに割り当てるＲＮＴＩとプリアンブルコードのうちの少なくとも一つを含むことが可能であり、例えば、中継端末デバイスと遠端端末デバイスとの間で中継伝送するための第１の伝送リソースの情報、及び／又は中継端末デバイスとネットワークデバイスとの間で中継伝送するための第２の伝送リソースの情報である。
【００５２】
任意選択で、当該レイヤ２構成情報は、当該ネットワークデバイスが当該遠端端末デバイスに割り当てるレイヤ２識別子及び／又は中継特定ロジックチャネル識別子を含むことができる。
【００５３】
第３の態様において、別の一つの中継伝送方法を提供し、受信側デバイスは、中継端末デバイスより送信される第２のレイヤ２プロトコルデータユニット（ＰＤＵ）を受信することと、当該受信側デバイスは、当該第２のレイヤ２ＰＤＵに対応する当該遠端端末デバイスを確定することとを含み、当該第２のレイヤ２ＰＤＵが、当該中継端末デバイスが送信側デバイスより送信される第１のレイヤ２ＰＤＵに基づいて生成されるものであり、当該第１のレイヤ２ＰＤＵに遠端端末デバイスの識別子情報が含まれ、又は当該第１のレイヤ２ＰＤＵが、遠端端末デバイスのＲＮＴＩを使用してスクランブリングするＰＤＣＣＨによってスケジューリングされるものであり、ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【００５４】
第３の態様の第１の可能な実現形態において、当該遠端端末デバイスの識別子情報は、当該遠端端末デバイスの端末デバイス識別子又は当該遠端端末デバイスのレイヤ２識別子を含む。
【００５５】
上記の可能な実現形態を結合し、第３の態様の第２の可能な実現形態において、当該遠端端末デバイスのレイヤ２識別子がＭＡＣ層、ＰＤＣＰ層、及びＲＬＣ層のうちの一つのレイヤに設定され、又は、当該送信側デバイスと当該受信側デバイスとのレイヤ２がアダプテーション層を含み、当該アダプテーション層はＭＡＣ層とＰＤＣＰ層との間に位置し、しかも当該遠端端末デバイスのレイヤ２識別子がアダプテーション層に設定する。
【００５６】
上記の可能な実現形態を結合し、第３の態様の第３の可能な実現形態において、当該受信側デバイスが当該遠端端末デバイスである場合、当該第２のレイヤ２ＰＤＵは、当該遠端端末デバイスの端末デバイス識別子を含み、当該受信側デバイスが、当該第２のレイヤ２ＰＤＵに対応する当該遠端端末デバイスを確定することは、当該受信側デバイスは、当該第２のレイヤ２ＰＤＵに含まれている端末デバイス識別子に基づいて、当該第２のレイヤ２ＰＤＵに対応する当該遠端端末デバイスを確定することを含む。
【００５７】
上記の可能な実現形態を結合し、第３の態様の第４の可能な実現形態において、当該受信側デバイスが当該ネットワークデバイスである場合、当該受信側デバイスが、中継端末デバイスより送信される第２のレイヤ２ＰＤＵを受信する前に、当該方法は、当該ネットワークデバイスは、当該中継端末デバイスより送信される当該遠端端末デバイスに対応するプリアンブルコードを受信することと、当該ネットワークデバイスは、当該プリアンブルコードに基づいて、当該中継端末デバイスにアップリンク許可を送信することと、をさらに含み、当該アップリンク許可が、当該ネットワークデバイスにより割り当てられたアップリンク伝送リソースを含み、当該受信側デバイスが、中継端末デバイスより送信される第２のレイヤ２ＰＤＵを受信することは、当該ネットワークデバイスは、当該中継端末デバイスが当該アップリンク伝送リソースを使用して送信した第２のレイヤ２ＰＤＵを受信すること、を含み、当該受信側デバイスが、当該第２のレイヤ２ＰＤＵに対応する当該遠端端末デバイスを確定することは、当該中継端末デバイスは、当該第２のレイヤ２ＰＤＵに占用されるアップリンク伝送リソースに基づいて、当該第２のレイヤ２ＰＤＵに対応する当該遠端端末デバイスを確定することを含む。
【００５８】
上記の可能な実現形態を結合し、第３の態様の第５の可能な実現形態において、当該受信側デバイスがネットワークデバイスである場合、当該受信側デバイスが、中継端末デバイスより送信される第２のレイヤ２ＰＤＵを受信する前に、当該方法は、当該ネットワークデバイスは、当該中継端末デバイスより送信されるＢＳＲを受信することと、当該ネットワークデバイスは、当該ＢＳＲに基づいて、当該中継端末デバイスにＰＤＣＣＨを送信することと、をさらに含み、ここで、当該ＢＳＲに当該遠端端末デバイスの識別子情報が含まれ、当該ＰＤＣＣＨに当該遠端端末デバイスの識別子情報が含まれ、当該受信側デバイスが、当該第２のレイヤ２ＰＤＵに対応する当該遠端端末デバイスを確定することは、当該受信側デバイスは、当該第２のレイヤ２ＰＤＵをスケジューリングするためのＰＤＣＣＨに基づいて、当該第２のレイヤ２ＰＤＵに対応する当該遠端端末デバイスを確定することを含む。
【００５９】
上記の可能な実現形態を結合し、第３の態様の第６の可能な実現形態において、当該受信側デバイスがネットワークデバイスである場合、当該遠端端末デバイスの識別子情報は当該遠端端末デバイスの端末デバイス識別子を含み、当該第２のレイヤ２ＰＤＵは当該遠端端末デバイスのレイヤ２識別子を含み、当該受信側デバイスが、当該第２のレイヤ２ＰＤＵに対応する当該遠端端末デバイスを確定することは、当該受信側デバイスは、当該第２のレイヤ２ＰＤＵに含まれているレイヤ２識別子に基づいて、当該第２のレイヤ２ＰＤＵに対応する当該遠端端末デバイスを確定することを含む。
【００６０】
任意選択で、当該受信側デバイスがネットワークデバイスであり、且つ当該ネットワークデバイスのレイヤ２がアダプテーション層を含む場合、当該第２のレイヤ２ＰＤＵは、中継特定ロジックチャネル識別子を含むことが可能である。この場合、当該ネットワークデバイスは、当該中継特定ロジックチャネル識別子に基づいて、当該第２のレイヤ２ＰＤＵが当該中継端末デバイスによって転送されるものであることを確定することができる。
【００６１】
第４の態様において、中継伝送装置を提供し、上記の第１の態様又は第１の態様の任意可能な実現形態の方法を実施するように構成される。具体的に、当該装置は、上記の第１の態様又は第１の態様の任意可能な実現形態の方法を実施するためのユニットを含む。
【００６２】
第５の態様において、別の一つの中継伝送装置を提供し、上記の第２の態様又は第２の態様の任意可能な実現形態の方法を実施するように構成される。具体的に、当該装置は、上記の第２の態様又は第２の態様の任意可能な実現形態の方法を実施するためのユニットを含む。
【００６３】
第６の態様において、別の一つの中継伝送装置を提供し、上記の第３の態様又は第３の態様の任意可能な実現形態の方法を実施するように構成される。具体的に、当該装置は、上記の第３の態様又は第３の態様の任意可能な実現形態の方法を実施するためのユニットを含む。
【００６４】
第７の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第１の態様又は第１の態様の任意可能な実現形態の方法を実行させる。
【００６５】
第８の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第２の態様又は第２の態様の任意可能な実現形態の方法を実行させる。
【００６６】
第９の態様において、別の一つの中継伝送装置を提供し、記憶ユニットとプロセッサとを含み、当該記憶ユニットは、命令を記憶するように構成され、当該プロセッサは、当該記憶装置に記憶されている命令を実行するように構成され、当該プロセッサが当該記憶装置に記憶されている命令を実行する時に、当該実行は、当該プロセッサに第３の態様又は第３の態様の任意可能な実現形態の方法を実行させる。
【００６７】
第１０の態様において、コンピュータ読み取り可能な媒体を提供し、コンピュータプログラムを記憶するように構成され、当該コンピュータプログラムは、第１の態様又は第１の態様の任意可能な実現形態の方法を実行するための命令を含む。
【００６８】
第１１の態様において、別の一つのコンピュータ読み取り可能な媒体を提供し、コンピュータプログラムを記憶するように構成され、当該コンピュータプログラムは、第２の態様又は第２の態様の任意可能な実現形態の方法を実行するための命令を含む。
【００６９】
第１２の態様において、別の一つのコンピュータ読み取り可能な媒体を提供し、コンピュータプログラムを記憶するように構成され、当該コンピュータプログラムは、第３の態様又は第３の態様の任意可能な実現形態の方法を実行するための命令を含む。
【００７０】
第１３の態様において、中継伝送システムを提供し、当該システムは、中継端末デバイス、遠端端末デバイス、及びネットワークデバイスを含み、ここで、当該中継端末デバイスのユーザプレーンプロトコルスタックはレイヤ１とレイヤ２を含むことが可能であり、当該遠端端末デバイスのユーザプレーンプロトコルスタックは、レイヤ１、レイヤ２、及びレイヤ３を含み、当該ネットワークデバイスのユーザプレーンプロトコルスタックは、レイヤ１、レイヤ２、及びレイヤ３を含み、ここで、当該中継端末デバイスのレイヤ１は、当該遠端端末デバイスのレイヤ１と当該ネットワークデバイスのレイヤ１のそれぞれとのピアレイヤであり、当該中継端末デバイスのレイヤ２は、当該遠端端末デバイスのレイヤ２と当該ネットワークデバイスのレイヤ２のそれぞれとのピアレイヤであり、しかも当該遠端端末デバイス、当該中継端末デバイス、及びネットワークデバイスの間は、レイヤ２ＰＤＵの方式で中継伝送を行うことが可能である。
【００７１】
任意選択で、当該中継端末デバイスのユーザプレーンプロトコルスタックは、レイヤ３を含まずに、レイヤ１とレイヤ２のみを含むことが可能であり、しかも当該中継端末デバイスのレイヤ２は、中継伝送の遠端端末デバイスを識別するために用いられる。任意選択で、中継端末デバイスのレイヤ２は、遠端端末デバイス識別子を識別、カプセル化するために用いられることが可能であり、ここで、当該遠端端末デバイス識別子は、具体的に、遠端端末デバイスの識別子情報、例えば、遠端端末デバイスの端末デバイス識別子又はレイヤ２識別子である。
【００７２】
任意選択で、当該遠端端末デバイスとネットワークデバイスのレイヤ２とは、アダプテーション層を含むことが可能であり、当該アダプテーション層は、遠端端末デバイス識別子を識別するために用いられることが可能である。任意選択で、当該アダプテーション層は、当該ＭＡＣ層とＰＤＣＰ層との間に位置することが可能である。
【００７３】
任意選択で、当該中継端末デバイスは、第４の態様又は第４の態様の任意可能な実現方式における装置であっても良く、当該遠端端末デバイスとネットワークデバイスとにおける送信側デバイスは、第５の態様又は第５の態様の任意可能な実現形態における装置であっても良く、当該遠端端末デバイスとネットワークデバイスとにおける受信側デバイスは、第６の態様又は第６の態様の任意可能な実現形態における装置であっても良い。
【００７４】
任意選択で、当該中継端末デバイスは、第７の態様又は第７の態様の任意可能な実施形態における装置であっても良く、当該遠端端末デバイスとネットワークデバイスの送信側デバイスは、第８の態様又は第８の態様の任意可能な実現形態における装置であっても良く、当該遠端端末デバイスとネットワークデバイスの受信側デバイスは、第９の態様又は第９の態様の任意可能な実現形態における装置であっても良い。
【００７５】
上記の技術案に基づいて、本発明の実施例に提供される中継伝送方法及び装置は、中継端末デバイスがレイヤ２を使用する中継方式によって、遠端端末デバイスとネットワークデバイスとの間のデータを中継し、ここで、遠端端末デバイス又はネットワークデバイスが中継端末デバイスに送信するレイヤ２ＰＤＵに遠端端末デバイスの識別子情報が含まれ、又はネットワークデバイスが、遠端端末デバイスのＲＮＴＩによって、当該レイヤ２ＰＤＵをスケジューリングするためのＰＤＣＣＨに対してスクランブリングし、当該中継端末デバイスは、当該遠端端末デバイスの識別子情報又はＲＮＴＩに基づいて、当該レイヤ２ＰＤＵに対応する遠端端末デバイスを確定し、当該レイヤ２ＰＤＵに含まれるデータを転送することができ、従来技術における中継端末デバイスがレイヤ３を使用して中継する方式と比較して、中継端末デバイスの処理の複雑度、中継データの伝送遅延を低減し、システム全体の性能を向上させることができる。
【図面の簡単な説明】
【００７６】
【図１】本発明の実施例が適用する無線通信システムの概略的なフローチャートである。
【図２ａ】本発明の実施例における各デバイスの中継通信のためのユーザプレーンプロトコルスタックの概略図である。
【図２ｂ】本発明の実施例における各デバイスの中継通信のための別の一つのユーザプレーンプロトコルスタックの概略図である。
【図３】本発明の実施例に提供される中継伝送方法の概略的なフローチャートである。
【図４】本発明の実施例に提供される中継伝送方法におけるＭＡＣ  ＰＤＵ構成の概略図である。
【図５】本発明の実施例に提供される別の一つの中継伝送方法の概略的なフローチャートである。
【図６】本発明の実施例に提供される別の一つの中継伝送方法の概略的なフローチャートである。
【図７】本発明の実施例に提供される別の一つの中継伝送方法の概略的なフローチャートである。
【図８】本発明の実施例に提供される別の一つの中継伝送方法の概略的なフローチャートである。
【図９】本発明の実施例に提供される遠端端末デバイスのベアラの確立方法の概略的なフローチャートである。
【図１０】本発明の実施例に提供される別の一つの遠端端末デバイスのベアラの確立方法の概略的なフローチャートである。
【図１１】本発明の実施例に提供される中継伝送装置の概略的なブロック図である。
【図１２】本発明の実施例に提供される別の一つの中継伝送装置の概略的なブロック図である。
【図１３】本発明の実施例に提供される別の一つの中継伝送装置の概略的なブロック図である。
【図１４】本発明の実施例に提供される別の一つの中継伝送装置の概略的なブロック図である。
【図１５】本発明の実施例に提供される別の一つの中継伝送装置の概略的なブロック図である。
【図１６】本発明の実施例に提供される別の一つの中継伝送装置の概略的なブロック図である。
【発明を実施するための形態】
【００７７】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００７８】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００７９】
なお、用語の「システム」及び「ネットワーク」は、本願において互換して使用することができる。本願における用語「及び/又は」は、単なる関連対象の対応関係を説明しているだけであり、３つの関係が表されることができる。例えば、Ａ及び/又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【００８０】
図１は、本発明の実施例が適用する無線通信システム１００の概略図であり、当該無線通信システム１００は、少なくとも一つのネットワークデバイス１１０を含む。ネットワークデバイス１００は、端末デバイスと通信するデバイスであっても良い。それぞれのネットワークデバイス１００は、特定した地理領域に通信カバレッジを提供することができ、当該カバレッジ領域内に位置する端末デバイスと通信できる。当該ネットワークデバイス１００は、ＧＳＭシステム又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、さらにＬＴＥシステムにおける進化型基地局（ｅＮＢ又はｅＮｏｄｅＢ：Ｅｖｏｌｕｔｉｏｎａｌ  Ｎｏｄｅ  Ｂ）であっても良く、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であっても良く、又は当該ネットワークデバイスは、中継局、アクセスポイント、車載デバイス、ウェアラブルデバイス及び将来の５Ｇネットワークにおけるコアネットワークデバイス、又は公衆携帯電話網ネットワーク（ＰＬＭＮ：Ｐｕｂｌｉｃ  Ｌａｎｄ  Ｍｏｂｉｌｅ  Ｎｅｔｗｏｒｋ）におけるネットワークデバイスなどであっても良い。
【００８１】
当該無線通信システム１００は、ネットワークデバイス１１０のカバレッジ範囲内に位置する複数の端末デバイス１２０をさらに含む。当該端末デバイス１２０は移動又は固定的なものであっても良い。当該端末デバイス１２０は、アクセス端末、ユーザデバイス（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型ＰＬＭＮおける端末デバイスなどであっても良い。
【００８２】
図１は、一つのネットワークデバイスと６個の端末デバイスを例示的に示しており、任意選択で、当該無線通信システム１００は、複数個のネットワークデバイスを含むことができ、それぞれのネットワークデバイスのカバレッジ範囲内にその他の数の端末デバイスが含まれても良い、本発明の実施例はそれを限定しない。また、当該無線通信システム１００は、モビリティ管理エンティティ（ＭＭＥ：Ｍｏｂｉｌｅ  Ｍａｎａｇｅｍｅｎｔ  Ｅｎｔｉｔｙ）、サービングゲートウェイ（ＳＧＷ：Ｓｅｒｖｉｎｇ  ＧａｔｅＷａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）などのその他のネットワークエンティティを含むことも可能であるが、本発明の実施例はこれらに限らない。
【００８３】
具体的に、端末デバイス１２０は、セルラー通信モード又はＤ２Ｄ通信モードで通信することが可能であり、ここで、セルラー通信モードにおいて、端末デバイスは、ネットワークデバイスによってその他の端末デバイスと通信することができ、Ｄ２Ｄ通信モードにおいて、端末デバイスは、Ｄ２Ｄリンクを介して直接にその他の端末デバイスと通信することができる。
【００８４】
図１に示されている複数の端末デバイス１２０に、セルラー端末デバイス、Ｄ２Ｄ端末デバイス、及び中継端末デバイスが含まれており、ここで、セルラー端末デバイスは、セルラー通信技術を採用してネットワークデバイス１１０と通信する。Ｄ２Ｄ端末デバイスは、中継端末デバイスによってネットワークデバイスとの間のデータ伝送を実現し、ここで、中継端末デバイスとＤ２Ｄ端末デバイスとの間にＰＣ５インターフェースを備え、Ｄ２Ｄ通信技術を採用して通信し、ここで、当該Ｄ２Ｄ通信技術は、具体的に、ＬＴＥのサイドリンク（ＳＬ：ＳｉｄｅＬｉｎｋ）技術であっても良く、ＷＬＡＮのＷＩＦＩ、又はブルートゥースなどの技術、又はその他のＤ２Ｄ通信技術であっても良く、本発明の実施例はこれに対して限定しない。中継端末デバイスとネットワークデバイスとの間にＵｕインターフェースを備え、セルラー通信技術を採用して通信する。
【００８５】
従来技術において、中継端末デバイスは、レイヤ３中継方式を使用して中継し、データ処理の遅延が大きい。本発明の実施例において、中継端末デバイスは、レイヤ２中継方式を使用してネットワークデバイスとＤ２Ｄ端末デバイスとの間のデータ伝送を中継し、この場合、ＵｕインターフェースとＰＣ５インターフェースとにおいて、レイヤ２ＰＤＵ（例えば、ＭＡＣ  ＰＤＵ、ＲＬＣ  ＰＤＵ又はＰＤＣＰ  ＰＤＵ）の方式を使用して中継伝送を行うことができる。図２ａと図２ｂとは、各デバイスの中継伝送のためのユーザプレーンプロトコルスタックの例をそれぞれ概略的に示しており、ここで、任意選択で、中継端末デバイスのユーザプレーンプロトコルスタックは、レイヤ１とレイヤ２を含むことが可能であり、Ｄ２Ｄ端末デバイスのユーザプレーンプロトコルスタックは、レイヤ１、レイヤ２、及びレイヤ３を含むことが可能であり、ネットワークデバイスのユーザプレーンプロトコルスタックは、レイヤ１、レイヤ２、及びレイヤ３を含むことが可能であり、ここで、当該中継端末デバイスのレイヤ１は、当該Ｄ２Ｄ端末デバイスのレイヤ１と当該ネットワークデバイスのレイヤ１のそれぞれとのピアレイヤであり、当該中継端末デバイスのレイヤ２は、当該Ｄ２Ｄ端末デバイスのレイヤ２と当該ネットワークデバイスのレイヤ２のそれぞれとのピアレイヤである。この場合、Ｄ２Ｄ端末デバイス、中継端末デバイス、及びネットワークデバイスの間は、レイヤ２ＰＤＵの方式で中継伝送を行うことができる。
【００８６】
この場合、任意選択で、当該中継端末デバイスのユーザプレーンプロトコルスタックは、レイヤ３を含まずに、レイヤ１とレイヤ２のみを含むことができる。任意選択で、当該中継端末デバイスのレイヤ２は、中継伝送の遠端端末デバイスを識別するために用いられる。例えば、中継端末デバイスのレイヤ２は、Ｄ２Ｄ端末デバイスの識別子情報を識別、カプセル化するために用いられるが、本発明の実施例はこれを限定しない。
【００８７】
具体的に、図２ａにおいて、Ｄ２Ｄ端末デバイスとネットワークデバイスのユーザプレーンプロトコルスタックは、レイヤ１（即ち、物理（ＰＨＹ：Ｐｈｙｓｉｃｓ）層）、レイヤ２、及びより上位のレイヤを含むことが可能であり、ここで、レイヤ２は、ＭＡＣ層、ＲＬＣ層、及びＰＤＣＰ層を含む。中継端末デバイスのユーザプレーンプロトコルスタックは、レイヤ１とレイヤ２のみを含むことが可能であり、ここで、レイヤ２は、ＭＡＣ層のみ、又はＭＡＣ層とＲＬＣ層のみ、又はＭＡＣ層、ＲＬＣ層、及びＰＤＣＰ層を含むことが可能である。この場合、当該Ｄ２Ｄ端末デバイス、中継端末デバイス、及びネットワークデバイスの間のデータ中継伝送は、Ｄ２Ｄ端末デバイスの識別子情報を識別することによって中継伝送を実現することができ、ここで、当該Ｄ２Ｄ端末デバイスの識別子情報の識別がレイヤ２において実現することができるが、本発明の実施例はこれを限定しない。
【００８８】
選択可能な実施例として、図２ｂにおいて、Ｄ２Ｄ端末デバイスとネットワークデバイスのレイヤ２は、ピア的にアダプテーション層を新たに加えられている。この場合、Ｄ２Ｄ端末デバイスのプロトコルスタックは、ＰＤＣＰ層、ＲＬＣ層、アダプテーション（ＡＤＰ：ＡＤＰｔｉｖｅ）層、及びＰＣ５インターフェースで採用されているＤ２Ｄ通信技術に対応するより下位のレイヤを含むことが可能であり、ここで、当該Ｄ２Ｄ通信技術が、具体的にＬＴＥにおけるサイドリンク技術である場合、当該より下位のレイヤは、具体的にＭＡＣ層とＰＨＹ層であり、当該Ｄ２Ｄ通信技術がその他の通信技術、例えば、ブルートゥース又はＷＩＦＩ技術等々である場合、当該より下位のレイヤは、当該その他の通信技術におけるＭＡＣ層と物理層に対応するレイヤである。中継端末デバイスの中継プロトコルスタックは、当該Ｄ２Ｄ通信技術に対応するレイヤ１とレイヤ２を含むことが可能である。ネットワークデバイスの中継プロトコルスタックは、ＰＤＣＰ層、ＲＬＣ層、ＡＤＰ層、ＭＡＣ層、及びＰＨＹ層を含むことが可能である。便利上、下記において、実施例は、ＭＡＣ層と物理層を例として説明するが、本発明の実施例はこれに限定されない。
【００８９】
任意選択で、当該アダプテーション層は、ＭＡＣ層とＲＬＣ層との間に位置しても良く、ＲＬＣ層とＰＤＣＰとの間に位置しても良く、本発明の実施例はこれを限定しない。本発明の実施例において、アダプテーション層は、Ｄ２Ｄ端末デバイスの識別子情報を識別するために用いられることができ、又は任意選択で、中継伝送を示すための中継特定ＬＣＩＤを識別するためにさらに用いられることができる。また、任意選択で、当該アダプテーション層は、下位レイヤから受信された、各Ｄ２Ｄ通信技術を使用して伝送されるデータを、通信技術に関係のない形に変換するように用いられることができ、また任意選択で、処理後のデータ伝送を上位レイヤに伝送して更なる処理を行う。任意選択で、当該アダプテーション層はＤ２Ｄ端末デバイスのレイヤ２識別子を含み、又は中継特定ロジックチャネル識別子をさらに含むことができ、ここで、当該中継特定ロジックチャネル識別子は、中継データを識別するために用いられることができる。この場合、任意選択で、中継端末デバイスがＵｕインターフェースを介して、ネットワークデバイスに送信するレイヤ２ＰＤＵは、Ｄ２Ｄ端末デバイスのいずれの情報も含まなくても良く、それに対して中継特定ロジックチャネル識別子によって中継データを示すが、本発明の実施例はこれに限定されない。
【００９０】
図３は、本発明の実施例に提供される中継伝送方法２００を例示的に示している。当該方法２００は、上記の無線通信システム１００に適用することができるが、本発明の実施例はこれに限定されない。具体的に、当該方法２００は、アップリンクデータの中継伝送に適用することができ、即ち、遠端端末デバイスは、中継端末デバイスを介してネットワークデバイスにアップリンクデータを伝送し、この場合、送信側デバイスは、具体的に遠端端末デバイス（Ｄ２Ｄ端末デバイスと称しても良く）であり、受信側デバイスは、具体的にネットワークデバイスである。任意選択で、当該方法２００は、ダウンリンクデータの中継伝送にも適用することが可能であり、即ち、ネットワークデバイスは、中継端末デバイスを介して遠端端末デバイスにダウンリンクデータを伝送し、この場合、送信側デバイスはネットワークデバイスであり、受信側デバイスは遠端端末デバイスであるが、本発明の実施例はこれを限定しない。
【００９１】
Ｓ２１０において、送信側デバイスは、送信待ちのデータ又は送信待ちの情報をカプセル化処理し、第１のレイヤ２プロトコルデータユニット（ＰＤＵ：Ｐｒｏｔｏｃｏｌ  Ｄａｔａ  Ｕｎｉｔ）を生成する。
【００９２】
なお、本発明の実施例において、レイヤ２ＰＤＵは、データの一番外側又は最上位レイヤは、デバイスのレイヤ２でカプセル化されるものであることを意味する。任意選択で、レイヤ２は、ＭＡＣ層、ＲＬＣ層、及びＰＤＣＰ層を含むことができ、それに応じて、当該レイヤ２ＰＤＵは、具体的にＭＡＣ  ＰＤＵ、ＲＬＣ  ＰＤＵ又はＰＤＣＰ  ＰＤＵと指しても良い。任意選択で、遠端端末デバイスとネットワークデバイスのレイヤ２がアダプテーション層をさらに含む場合、ＰＣ５インターフェースで伝送されるレイヤ２ＰＤＵの具体的な形は、ＰＣ５インターフェースで採用されるＤ２Ｄ通信技術に対応する。例えば、当該Ｄ２Ｄ通信技術がＬＴＥにおけるサイドリンク技術である場合、当該ＰＣ５インターフェースで伝送されるレイヤ２ＰＤＵは、具体的にＭＡＣ  ＰＤＵであっても良く、それに対して当該Ｄ２Ｄ通信技術がブルートゥース又はＷＩＦＩ技術である場合、当該ＰＣ５インターフェースで伝送されるレイヤ２ＰＤＵは、具体的にブルートゥース又はＷＩＦＩ技術におけるＭＡＣ  ＰＤＵに対応するレイヤ２ＰＤＵであっても良いが、本発明の実施例はこれを限定しない。
【００９３】
任意選択で、当該第１のレイヤ２ＰＤＵは、遠端端末デバイスの識別子情報を含むことが可能であり、当該遠端端末デバイスの識別子情報は、当該遠端端末デバイスを示すために用いられ、しかも当該遠端端末デバイスの識別子情報は、当該中継端末デバイスによって識別されることが可能であり、例えば、当該中継端末デバイスは、レイヤ２によって遠端端末デバイスの識別子情報を識別することができるが、本発明の実施例はこれに限定されない。任意選択で、当該遠端端末デバイスの識別子情報は、当該遠端端末デバイスの端末デバイス識別子を含むことが可能であり、当該端末デバイス識別子は、当該遠端端末デバイスを一意的に示すために用いられることができる。ここで、当該端末デバイス識別子は予め定義されるものであっても良い。例えば、当該端末デバイス識別子は、具体的に当該遠端端末デバイスのデバイス識別子又は当該遠端端末デバイスのユーザ識別子等々であっても良い。任意選択で、当該遠端端末デバイスの識別子情報は、当該遠端端末デバイスの特定識別子を含むことが可能であり、当該遠端端末デバイスの特定識別子は、中継伝送において、当該遠端端末デバイスを一意的に示すために用いられる。当該特定識別子は、予め定義されるものであっても良く、ネットワークデバイスによって構成されるものであっても良い。シグナリングのオーバーヘッドを低減するために、当該特定識別子の長さは、端末デバイス識別子の長さより小さくても良い。例えば、当該特定識別子は、レイヤ２識別子であっても良く、即ち、デバイスのレイヤ２においてカプセル化、解析する識別子であり、ここで、当該レイヤ２識別子は予め定義されるものであっても良く、又はネットワークデバイスが遠端端末デバイスに割り当てるものであっても良く、例えば、当該レイヤ２識別子は、ネットワークデバイスが当該遠端端末デバイスのためにベアラを確立する過程において、当該遠端端末デバイスに割り当てるものであるが、本発明の実施例はこれに限定されない。任意選択で、当該レイヤ２識別子は、ＰＤＣＰ層、ＲＬＣ層又はＭＡＣ層に設定しても良く、即ち、ＰＤＣＰ層、ＲＬＣ層又はＭＡＣ層によってカプセル化、解析する。任意選択で、当該遠端端末デバイスとネットワークデバイスのレイヤ２は、独立したアダプテーション層をさらに含む場合、当該レイヤ２識別子は、アダプテーション層
又はＤ２Ｄ通信技術の対応するレイヤに設定されても良く、例えば、中継端末デバイスと遠端端末デバイスとの間のＰＣ５インターフェースにおいてサイドリンク技術を採用するとした場合、当該レイヤ２識別子は、ＭＡＣ層に設定されても良いが、本発明の実施例はこれを限定しない。
【００９４】
遠端端末デバイスとネットワークデバイスとは、単独のアダプテーション層を有し、且つ当該アダプテーション層によって遠端端末デバイスの識別子情報のカプセル化と解析を行う場合、遠端端末デバイス又はネットワークデバイスがデータを送信しようとする時に、データをＰＤＣＰ層、ＲＬＣ層、及びアダプテーション層のカプセル化を順次に行うことができる。ここで、アダプテーション層に遠端端末デバイスの識別子情報（例えば、レイヤ２識別子）を含ませても良いが、本発明の実施例はこれに限定されない。任意選択で、遠端端末デバイスとネットワークデバイスとは単独のアダプテーション層を有せず、且つＭＡＣ層によって遠端端末デバイスの識別子情報の解析とカプセル化を行う場合、遠端端末デバイス又はネットワークデバイスがデータを送信しようとする場合、例えば、ネットワークデバイスがネットワーク側からの遠端端末デバイスのデータを受信した場合、データをＰＤＣＰ層、ＲＬＣ層、及びＭＡＣ層のカプセル化を順次に行うことができ、ここで、ＭＡＣ層に当該遠端端末デバイスの識別子情報（例えば、レイヤ２識別子）を含ませても良いが、本発明の実施例はこれに限定されない。
【００９５】
Ｓ２２０において、送信側デバイスは、中継端末デバイスに第１のレイヤ２ＰＤＵを送信する。
【００９６】
任意選択で、当該第１のレイヤ２ＰＤＵは、ロジックチャネル識別子（ＬＣＩＤ：Ｌｏｇｉｃａｌ  Ｃｈａｎｎｅｌ  Ｉｄｅｎｔｉｆｉｅｒ）フィールド又はベアリング識別子フィールドを含むことが可能であり、当該ロジックチャネル識別子フィールド又はベアリング識別子フィールドの設定によって、中継端末デバイスは、当該第１のレイヤ２ＰＤＵに含まれるデータ又は情報が転送する必要があることを確定することができ、即ち、当該第２のレイヤ２ＰＤＵに含まれるデータが中継データであることを確定する。例えば、当該第１のレイヤ２ＰＤＵに含まれるデータが中継データであり、当該中継端末デバイスによって転送する必要があることを示すために、当該ベアリング識別子フィールドは、当該遠端端末デバイスに対応するベアリング識別子を含むために用いられることが可能であり、当該ロジックチャネル識別子フィールドは、中継特定ＬＣＩＤを含むために用いられることが可能であり、ここで、当該中継特定ＬＣＩＤは、予め設定されるものであっても良く、ネットワークデバイスにより割り当てられるものであっても良く、例えば、ネットワークデバイスは、遠端端末デバイスのためにベアラを確立する過程において当該中継特定ＬＣＩＤを割り当てるが、本発明の実施例はこれに限定されない。
【００９７】
任意選択で、当該送信側デバイスが遠端端末デバイスであり、且つ当該受信側デバイスがネットワークデバイスである場合、当該遠端端末デバイスは、中継伝送のための伝送リソースによって、当該中継端末デバイスに当該第１のレイヤ２ＰＤＵを送信することができる。この場合、当該中継端末デバイスは、当該第１のレイヤ２ＰＤＵに占用される伝送リソースに基づいて、当該第１のレイヤ２ＰＤＵに含まれるデータが転送される必要があることを確定することができるが、本発明の実施例はこれに限定されない。
【００９８】
任意選択で、当該中継端末デバイスは、さらにその他の方式で、当該第１のレイヤ２ＰＤＵに含まれるデータが中継データであることを確定することができるが、本発明の実施例はこれを限定しない。
【００９９】
任意選択で、当該中継端末デバイスは、当該遠端端末デバイスの識別子情報又はＲＮＴＩに基づいて、当該受信側デバイスに当該第１のレイヤ２ＰＤＵに含まれるデータを転送することができる。具体的に、当該受信側デバイスは、当該第１のレイヤ２ＰＤＵに含まれるデータに対してカプセル化処理を行うことができ、例えば、レイヤ２において当該第１のレイヤ２ＰＤＵに含まれるデータに対してカプセル化処理を行い、第２のレイヤ２ＰＤＵを得て、受信側デバイスに当該第２のレイヤ２ＰＤＵを送信するが、本発明の実施例はこれに限定されない。
【０１００】
Ｓ２３０において、中継端末デバイスは、送信側デバイスより送信される第１のレイヤ２ＰＤＵを受信し、当該第１のレイヤ２ＰＤＵに対応する遠端端末デバイスを確定し、当該第１のレイヤ２ＰＤＵに含まれるデータに対してカプセル化処理を行い、第２のレイヤ２ＰＤＵを生成する。
【０１０１】
任意選択で、当該中継端末デバイスは、当該第１のレイヤ２ＰＤＵに含まれている当該遠端端末デバイスの識別子情報に基づいて、当該第１のレイヤ２ＰＤＵに対応する遠端端末デバイスを確立することができ、例えば、当該中継端末デバイスは、レイヤ２において当該第１のレイヤ２ＰＤＵに含まれている識別子情報を識別することができ、それによって当該第１のレイヤ２ＰＤＵに対応する遠端端末デバイスを確定する。又は、当該送信側デバイスがネットワークデバイスである場合、任意選択で、当該第１のレイヤ２ＰＤＵに含まれるデータは、ネットワークデバイスが、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介してスケジューリングされ、ここで、当該ＰＤＣＣＨが当該遠端端末デバイスの無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｔｙ）を使用してスクランブリングする。この場合、当該中継端末デバイスは、当該第１のレイヤ２ＰＤＵをスケジューリングするためのＰＤＣＣＨで使用されているＲＮＴＩに基づいて、当該第１のレイヤ２ＰＤＵに対応する遠端端末デバイスを確定することができるが、本発明の実施例はこれに限定されない。
【０１０２】
任意選択で、当該遠端端末デバイスのＲＮＴＩは、予め定義されるものであっても良く、又はネットワークデバイスが当該遠端端末デバイスに割り当てるものであっても良く、例えば、ネットワークデバイスが当該遠端端末デバイスのためにベアラを確立する過程において、当該遠端端末デバイスにＲＮＴＩを割り当てる。この場合、当該中継端末デバイスは、当該第１のレイヤ２ＰＤＵをスケジューリングするためのＰＤＣＣＨで使用されているＲＮＴＩに基づいて、当該第１のレイヤ２ＰＤＵに対応する当該遠端端末デバイスを確定することができるが、本発明の実施例はこれに限定されない。
【０１０３】
任意選択で、当該中継端末デバイスは、当該第１のレイヤ２ＰＤＵに含まれるデータに対してカプセル化処理を行い、第２のレイヤ２ＰＤＵを生成することができ、例えば、レイヤ２において当該第１のレイヤ２ＰＤＵに含まれるデータに対してカプセル化処理を行い、第２のレイヤ２ＰＤＵを生成する。ここで、当該第１のレイヤ２ＰＤＵは、当該中継端末デバイスと送信側デバイスとの間のインターフェース通信プロトコル要件を満たすことができ、当該第２のレイヤ２ＰＤＵは、当該中継端末デバイスと受信側デバイスとの間のインターフェース通信プロトコル要件を満たすことができる。
【０１０４】
具体的に、当該遠端端末デバイスと当該ネットワークデバイスとは、単独のアダプテーション層を含まない場合、当該中継端末デバイスは、当該第１のレイヤ２ＰＤＵに対して、順次にデカプセル化とカプセル化処理を行うことができ、それによって第１のインターフェースのＭＡＣ  ＰＤＵを第２のインターフェースのＭＡＣ  ＰＤＵに変換し、ここで、第１のインターフェースが、当該中継端末デバイスと送信側デバイスとの間の通信インターフェースであり、当該第２のインターフェースが、当該中継端末デバイスと受信側デバイスとの間の通信インターフェースである。例えば、送信側デバイスが遠端端末デバイスであり、且つ受信側デバイスがネットワークデバイスである場合、当該第１のインターフェースはＰＣ５インターフェースであり、当該第２のインターフェースはＵｕインターフェースである。送信側デバイスがネットワークデバイスであり、且つ受信側デバイスが遠端端末デバイスである場合、当該第１のインターフェースはＵｕインターフェースであり、当該第２のインターフェースはＰＣ５インターフェースである。例えば、送信側デバイスがネットワークデバイスである場合、当該中継端末デバイスが当該第１のレイヤ２ＰＤＵに含まれるデータが中継データであることを確定した時に、ＰＣ５インターフェースの通信技術に基づいてデータに対してカプセル化処理を行うことができ、ＰＣ５インターフェースプロトコル要件を満たす第２のレイヤ２ＰＤＵを得て、それをＰＣ５インターフェースのユーザプレーン（ＰＣ５−Ｕ：ＰＣ５−Ｕｓｅｒ  Ｐｌａｎｅ）によって送信する。さらに、例えば、送信側デバイスが遠端端末デバイスである場合、当該中継端末デバイスは、当該第１のレイヤ２ＰＤＵに含まれるデータが中継データであることを確定した時に、Ｕｕインターフェースの通信技術に基づいて、データに対してカプセル化処理を行うことができ、Ｕｕインターフェースプロトコル要件を満たす第２のレイヤ２ＰＤＵ（例えば、ＬＴＥ  Ｕｕ  ＭＡＣ  ＰＤＵ）を得る。
【０１０５】
任意選択で、当該第２のレイヤ２ＰＤＵは、当該遠端端末デバイスの識別子情報、例えば、端末デバイス識別子又はレイヤ２識別子を含むことができる。
【０１０６】
具体的に、当該送信側デバイスが遠端端末デバイスであり、且つ受信側デバイスがネットワークデバイスである場合、任意選択で、当該第１のレイヤ２ＰＤＵは、当該遠端端末デバイスの端末デバイス識別子を含むことができ、この場合、当該中継端末デバイスは、当該端末デバイス識別子に対応するレイヤ２識別子を確定することができ、当該第２のレイヤ２ＰＤＵに当該レイヤ２識別子を含ませる。当該ネットワークデバイスは、当該第２のレイヤ２ＰＤＵに含まれている当該遠端端末デバイスのレイヤ２識別子に基づいて、当該第２のレイヤ２ＰＤＵに対応する当該遠端端末デバイスを確定し、コアネットワークデバイス（例えば、パケットデータネットワークゲートウェイ（Ｐ−ＧＷ：Ｐａｃｋｅｔ  Ｄａｔａ  Ｎｅｔｗｏｒｋ  Ｇａｔｅｗａｙ））に、当該第２のレイヤ２ＰＤＵに含まれるデータを送信することができる。
【０１０７】
任意選択で、当該中継端末デバイスがネットワークデバイスに当該第２のレイヤ２ＰＤＵを送信する前に、当該中継端末デバイスは、アップリンク許可要求フローを開始し、当該ネットワークデバイスにより割り当てられるアップリンク伝送リソースによって、当該ネットワークデバイスに当該第２のレイヤ２ＰＤＵを送信することができる。ここで、一つの選択可能な実施例として、当該中継端末デバイスは、中継端末デバイスがネットワークデバイスにアップリンクデータを送信する時のアップリンク許可要求フローに従って行うことができ、例えば、当該中継端末デバイスは、ネットワークデバイスにスケジューリング要求を送信し、スケジューリング要求が、当該中継端末デバイスにアップリンク伝送リソースを割り当てるようにネットワークデバイスに要求し、当該ネットワークデバイスは、当該スケジューリング要求に基づいて、当該中継端末デバイスにアップリンク伝送リソースを割り当て、当該中継端末デバイスにアップリンク許可を送信し、当該アップリンク許可が当該ネットワークデバイスが当該中継端末デバイスに割り当てる伝送リソースを示すために用いられ、当該中継端末デバイスは、当該アップリンク伝送リソースを使用して、当該ネットワークデバイスに当該第２のレイヤ２ＰＤＵを送信することができる。
【０１０８】
選択可能な実施例として、当該中継端末デバイスは、当該ネットワークデバイスが当該遠端端末デバイスに割り当てるプリアンブルコードを確定することができ、当該ネットワークデバイスに当該プリアンブルコードを送信することによって、アップリンク許可要求フローを開始させる。この場合、当該ネットワークデバイスは、受信された当該プリアンブルコードに基づいて、割り当てたアップリンク伝送リソースに対応する遠端端末デバイスを確定することができ、当該第２のレイヤ２ＰＤＵを受信した後に、当該第２のレイヤ２ＰＤＵに占用されるアップリンク伝送リソースに基づいて、当該遠端端末デバイスを確定する。この場合、当該第２のレイヤ２ＰＤＵが当該遠端端末デバイスの識別子情報を含まなくても良く、それによって、さらにシグナリングオーバーヘッドを節約することができる。
【０１０９】
選択可能な実施例として、当該中継端末デバイスは、当該ネットワークデバイスに、バッファ状態報告（ＢＳＲ：Ｂｕｆｆｅｒ  Ｓｔａｔｕｓ  Ｒｅｐｏｒｔ）を送信することができ、ここで、当該ＢＳＲに当該遠端端末デバイスの識別子情報、例えば、レイヤ２識別子又は端末デバイス識別子が含まれ、当該ネットワークデバイスは、当該ＢＳＲを受信した後に、当該遠端端末デバイスの識別子情報を識別し、当該中継端末デバイスにＰＤＣＣＨを送信し、それによって当該遠端端末デバイスのアップリンクデータ伝送をスケジューリングする。ここで、当該ＰＤＣＣＨに当該遠端端末デバイスの識別子情報が含まれる。当該中継端末デバイスは、当該ＰＤＣＣＨを受信した後に、当該ＰＤＣＣＨに基づいて、当該ネットワークデバイスに当該第２のレイヤ２ＰＤＵを送信することができる。当該ネットワークデバイスは、当該第２のレイヤ２ＰＤＵをスケジューリングするためのＰＤＣＣＨに基づいて、当該第２のレイヤ２ＰＤＵに対応する端末デバイスを確定することが可能であり、この場合、任意選択で、当該中継端末デバイスより送信される当該第２のレイヤ２ＰＤＵは、当該遠端端末デバイスの識別子情報を含まなくても良いが、本発明の実施例はこれに限定されない。
【０１１０】
当該送信側デバイスがネットワークデバイスであり、且つ受信側デバイスが遠端端末デバイスである場合、任意選択で、当該第１のレイヤ２ＰＤＵは、当該遠端端末デバイスのレイヤ２識別子を含むことができる。この場合、当該中継端末デバイスは、当該レイヤ２識別子に対応する端末デバイス識別子を確定し、当該第２のレイヤ２ＰＤＵに当該端末デバイス識別子を含ませることができる。当該遠端端末デバイスが当該第２のレイヤ２ＰＤＵを受信した後に、当該第２のレイヤ２ＰＤＵに含まれる端末デバイス識別子に基づいて、当該第２のレイヤ２ＰＤＵが自身に送信されるものであるか否かを確定することができる。この場合、当該遠端端末デバイスと当該中継端末デバイスとの間のデータ中継伝送は、当該遠端端末デバイスの端末デバイス識別子によって、当該遠端端末デバイスを識別することが可能であり、そして当該中継端末デバイスと当該ネットワークデバイスとの間のデータ中継伝送は、当該遠端端末デバイスのレイヤ２識別子に基づいて、当該遠端端末デバイスを識別することができ、そのため、当該遠端端末デバイスは、自身のレイヤ２識別子を知らなくても良いが、本発明の実施例はこれに限定されない。
【０１１１】
任意選択で、当該第２のレイヤ２ＰＤＵは、当該第２のレイヤ２ＰＤＵに含まれるデータが中継データであることを示すための指示情報を含むことが可能であり、例えば、当該ネットワークデバイスがアダプテーション層を含む場合、当該指示情報は、中継特定ＬＣＩＤを含むことが可能である。この場合、ネットワークデバイスは、当該指示情報に基づいて、受信された当該第２のレイヤ２ＰＤＵが中継端末デバイスによって中継していることを確定することができるが、本発明の実施例はこれに限定されない。
【０１１２】
任意選択で、当該第２のレイヤ２ＰＤＵは、当該中継端末デバイスの識別子情報、例えば、端末デバイス識別子等々を含むことが可能であるが、本発明の実施例はこれに限定されない。
【０１１３】
Ｓ２４０において、中継端末デバイスは、受信側デバイスに当該第２のレイヤ２ＰＤＵを送信する。
【０１１４】
当該中継端末デバイスは、当該第１のレイヤ２ＰＤＵに対応する遠端端末デバイスに基づいて、当該受信側デバイスに当該第１のレイヤ２ＰＤＵに含まれるデータを転送することができ、例えば、当該中継端末デバイスが当該受信側デバイスに送信する第２のレイヤ２ＰＤＵに、当該遠端端末デバイスの識別子情報が含まれ、又は当該第２のレイヤ２ＰＤＵは、当該ネットワークデバイスが当該遠端端末デバイスに割り当てるアップリンク伝送リソースによって送信されるものであるが、本発明の実施例はこれに限定されない。
【０１１５】
任意選択で、受信側デバイスが遠端端末デバイスである場合、当該中継端末デバイスは、中継伝送のための伝送リソースによって、当該遠端端末デバイスに、当該第２のレイヤ２ＰＤＵを送信することができ、当該遠端端末デバイスは、当該第２のレイヤ２ＰＤＵに占用される伝送リソースに基づいて、当該第２のレイヤ２ＰＤＵに含まれる中継データが、中継端末デバイスにより転送されるものであることを確定することができるが、本発明の実施例はこれに限定されない。
【０１１６】
受信側デバイスが当該第２のレイヤ２ＰＤＵを受信した後に、当該第２のレイヤ２ＰＤＵに対して解析処理を行うことができる。例えば、如果受信側デバイスがネットワークデバイスであり、当該第２のレイヤ２ＰＤＵが中継特定ロジックチャネル識別子を含む場合、当該ネットワークデバイスは、当該第２のレイヤ２ＰＤＵに含まれている中継特定ロジックチャネル識別子によって、当該第２のレイヤ２ＰＤＵに含まれるデータが中継データであることを確定することができる。任意選択で、当該ネットワークデバイスは、当該第２のレイヤ２ＰＤＵに含まれるデータを、Ｓ１−Ｕインターフェースを介してコアネットワークに伝送することができる。任意選択で、当該ネットワークデバイスは、さらに、当該第２のレイヤ２ＰＤＵに含まれている遠端端末デバイスの識別子情報に基づいて、当該第２のレイヤ２ＰＤＵに対応する遠端端末デバイスを確定することができ、この場合、当該ネットワークデバイスとコアネットワークデバイス（例えば、Ｐ−ＧＷ）との間に、当該遠端端末デバイスのデータ伝送チャネル、例えば、ＧＰＲＳトンネリングプロトコル（ＧＴＰ：ＧＰＲＳ  Ｔｕｎｎｅｌｉｎｇ  Ｐｒｏｔｏｃｏｌ）が既に確立されている場合、当該ネットワークデバイスは、当該遠端端末デバイスに対応するＧＴＰトンネリングによって、コアネットワークデバイスに、当該第２のレイヤ２ＰＤＵに含まれるデータを送信することができるが、本発明の実施例はこれに限定されない。
【０１１７】
さらに例えば、受信側デバイスが遠端端末デバイスであり、且つ当該第２のレイヤ２ＰＤＵが、中継伝送のための伝送リソースによって送信されるものである場合、当該遠端端末デバイスは、当該第２のレイヤ２ＰＤＵに占用される伝送リソースに基づいて、当該第２のレイヤ２ＰＤＵに含まれるデータが当該中継端末デバイス中継によって転送されるものであることを確定することができる。また、任意選択で、当該遠端端末デバイスは、識別当該第２のレイヤ２ＰＤＵに含まれている遠端端末デバイスの識別子情報によって、当該第２のレイヤ２ＰＤＵが自身に送信されるものであるか否かを確定することができる。任意選択で、当該第２のレイヤ２ＰＤＵが自身に送信されるものであることを確定した場合、当該遠端端末デバイスは、当該第２のレイヤ２ＰＤＵに対してさらに復号化処理を行い、当該第２のレイヤ２ＰＤＵに含まれるデータを獲得することができる。当該第２のレイヤ２ＰＤＵが自身に送信されるものではないことを確定した場合、当該遠端端末デバイスは、当該第２のレイヤ２ＰＤＵを放棄しても良いが、本発明の実施例はこれに限定されない。
【０１１８】
本発明の実施例において、当該中継端末デバイスは、レイヤ２中継方式によって、遠端端末デバイスとネットワークデバイスとの間のデータを中継し、例えば、当該中継端末デバイスは、ＭＡＣ中継方式によって中継を行う。この場合、当該中継端末デバイスと遠端端末デバイスとネットワークデバイスとのそれぞれの間は、ＭＡＣ  ＰＤＵの方式でデータを伝送する。任意選択で、ＭＡＣ  ＰＤＵは、遠端端末デバイスの識別子情報、例えば、遠端端末デバイスのレイヤ２識別子又は端末デバイス識別子を含むことが可能である。この場合、当該遠端端末デバイスの識別子情報は、ＭＡＣ  ＰＤＵのＭＡＣ制御要素（ＣＥ：Ｃｏｎｔｒｏｌ  Ｅｌｅｍｅｎｔ）にベアリングされることができ、例えば、図４に示すように、当該ＭＡＣ  ＣＥは、現行のＭＡＣ  ＣＥ又は新規のＭＡＣ  ＣＥであっても良いが、本発明の実施例はこれに限定されない。
【表１】
2020162141.tif 000003
【０１１９】
任意選択で、中継伝送する前に、当該ネットワークデバイスは、当該遠端端末デバイスのために進化型パケットシステム（Ｅｖｏｖｌｅｄ  Ｐａｃｋｅｔ  Ｓｙｓｔｅｍ、ＥＰＳ）ベアラを確立することができる。ここで、当該ＥＰＳベアラは、当該ネットワークデバイスとＰ−ＧＷとの間のデータ伝送チャネル（例えば、ＧＴＰトンネリング）、及び当該ネットワークデバイスが確立する無線ベアラを含むことができ、ここで、当該無線ベアラは、当該ネットワークデバイスと当該中継端末デバイスとの間のセルラーデータ伝送チャネル、及び当該中継端末デバイスと当該遠端端末デバイスとの間のＤ２Ｄデータ伝送チャネルを含むことができるが、本発明の実施例はこれに限定されない。
【０１２０】
任意選択で、当該中継端末デバイスは、当該遠端端末デバイスからの接続確立要求を受信することができ、当該接続確立要求が、当該中継端末デバイスと当該遠端端末デバイスとの間のＤ２Ｄ通信リンクを確立するように要求するために用いられる。任意選択で、当該接続確立要求は、具体的に当該中継端末デバイスとのＰＣ５接続を確立するように要求するためのダイレクト通信要求であっても良い。
【０１２１】
当該中継端末デバイスは、当該接続確立要求に基づいて、コアネットワークデバイスにベアラ確立要求を送信することができ、当該ベアラ確立要求は、当該遠端端末デバイスの端末デバイス識別子を含むことが可能である。任意選択で、当該コアネットワークデバイスは、ＭＭＥであっても良く、当該Ｐ−ＧＷとネットワークデバイスとの間に当該遠端端末デバイスのデータ伝送チャネル（例えば、ＧＴＰトンネリング）を確立するために、当該ＭＭＥは、Ｐ−ＧＷに、当該ベアラ確立要求に含まれる当該遠端端末デバイスの端末デバイス識別子を送信することができ、当該ネットワークデバイスは、当該遠端端末デバイスの無線ベアラを確立することができる。
【０１２２】
当該中継端末デバイスは、当該ネットワークデバイスより送信されるベアラ確立応答を受信することができ、当該ベアラ確立応答が、当該ネットワークデバイスが当該遠端端末デバイスのために確立するＥＰＳベアラの構成情報を含み、ここで、任意選択で、当該ＥＰＳベアラの構成情報は、当該無線ベアラの構成情報を含むことが可能である。当該無線ベアラの構成情報は、レイヤ２構成情報（例えば、ＭＡＣ層構成情報）と物理層構成情報とを含むことができる。任意選択で、当該ＥＰＳベアラの構成情報は、当該遠端端末デバイスと当該ネットワークデバイスのユーザプレーンピアレイヤの構成情報、例えば、ＰＤＣＰ層構成情報及び／又はＲＬＣ層構成情報を含むことができる。任意選択で、当該ＭＡＣ層構成情報は、当該ネットワークデバイスが当該遠端端末デバイスに割り当てるレイヤ２識別子及び／又は中継特定ＬＣＩＤを含むことができ、当該物理層構成情報は、中継伝送のための伝送リソースの情報、当該遠端端末デバイスに割り当てるプリアンブルコード、及び当該遠端端末デバイスに割り当てるＲＮＴＩのうちの少なくとも一つを含むことができるが、本発明の実施例はこれに限定されない。
【０１２３】
任意選択で、当該中継端末デバイスは、当該ベアラ確立応答に基づいて、当該遠端端末デバイスに接続確立応答を送信することができ、任意選択で、当該接続確立応答は、当該物理層構成情報と当該ＭＡＣ層構成情報の中の当該中継端末デバイスが当該遠端端末デバイスと中継伝送するための構成情報、例えば、レイヤ２識別子及び／又は伝送リソースの情報を含み、又は上記のＰＤＣＰ層構成情報及び／又はＲＬＣ層構成情報をさらに含むことができる。任意選択で、当該接続確立応答がＰＤＣＰ層構成情報及び／又はＲＬＣ層構成情報を含まない場合、当該遠端端末デバイスは、受信した当該中継端末デバイスのＤ２Ｄブロードキャストメッセージに基づいて、ＰＤＣＰ層及び／又はＲＬＣ層を構成することができ、任意選択で、当該接続確立応答がＰＤＣＰ層構成情報及び／又はＲＬＣ層構成情報を含む場合、当該遠端端末デバイスは、当該接続確立応答に含まれるＲＬＣ層構成情報及び／又はＰＤＣＰ層構成情報のうちの少なくとも一つに基づいて、レイヤ２を構成することができるが、本発明の実施例はこれに限定されない。
【０１２４】
そのため、本発明の実施例による中継伝送方法は、中継端末デバイスがレイヤ２を使用する中継方式によって、遠端端末デバイスとネットワークデバイスとの間のデータを中継し、ここで、遠端端末デバイス又はネットワークデバイスが中継端末デバイスに送信するレイヤ２ＰＤＵに遠端端末デバイスの識別子情報が含まれ、又はネットワークデバイスが、遠端端末デバイスのＲＮＴＩによって、当該レイヤ２ＰＤＵをスケジューリングするためのＰＤＣＣＨに対してスクランブリングし、当該中継端末デバイスは、当該遠端端末デバイスの識別子情報又はＲＮＴＩに基づいて、当該レイヤ２ＰＤＵに対応する遠端端末デバイスを確定し、当該レイヤ２ＰＤＵに含まれるデータを転送することができ、従来技術における中継端末デバイスがレイヤ３を使用して中継する方式と比較して、中継端末デバイスの処理の複雑度、中継データの伝送遅延を低減し、システム全体の性能を向上させることができる。
【０１２５】
下記において具体的例を結合し、本発明の実施例を詳しく説明する。なお、これらの例は、当業者がより良く本発明の実施例を理解させるためのものであり、本発明の実施例の範囲を制限するわけではない。
【０１２６】
便利上、下記の例で、セルラーネットワークが既に遠端端末デバイスにＰＤＮ接続とベアラを確立したと仮定し、遠端端末デバイスが、具体的に遠端ＵＥであり、中継端末デバイスが、具体的に中継ＵＥであり、ネットワークデバイスが、具体的にｅＮＢであり、しかもＰＣ５インターフェースのレイヤ２ＰＤＵとＵｕインターフェースのレイヤ２ＰＤＵとのいずれもＭＡＣ  ＰＤＵであると仮定し、なお、遠端端末デバイスのレイヤ２がアダプテーション層を含み、ＰＣ５インターフェースがＬＴＥサイドリンク技術と異なるその他のＤ２Ｄ通信技術を使用する場合、当該ＰＣ５インターフェースのＰＤＵは、当該その他のＤ２Ｄ通信技術に対応するレイヤ２のＰＤＵであっても良いが、本発明の実施例はこれに限定されない。
【０１２７】
図５は、本発明の別の一つの実施例に提供される中継伝送方法３００を概略的に示している。当該方法３００は、ダウンリンクデータの中継伝送に適用することができる。方法３００の中継伝送の中で、遠端端末デバイスのレイヤ２識別子を使用して当該遠端端末デバイスを識別する。
【０１２８】
Ｓ３１０において、Ｐ−ＧＷは、遠端端末デバイスに送信するデータを受信する時に、ベアラの確立の中で割り当てられるＳ１−ＵインターフェースのＧＴＰ−Ｕを介してデータをｅＮＢに送信する。
【０１２９】
Ｓ３２０において、ｅＮＢは、ＧＴＰ−Ｕからの遠端端末デバイスのデータを受信した後に、データをＵｕインターフェースのＭＡＣ  ＰＤＵとしてカプセル化し、ここで、当該ＵｕインターフェースのＭＡＣ  ＰＤＵの中のＭＡＣ  ＣＥに遠端端末デバイスのレイヤ２識別子又は端末デバイス識別子が含まれる。
【０１３０】
Ｓ３３０において、ｅＮＢは、中継特定ＲＮＴＩに基づいて、アドレッシングするＰＤＣＣＨによって、ダウンリンクデータ伝送をスケジューリングし、物理ダウンリンクデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）において、中継端末デバイスに当該ＵｕインターフェースのＭＡＣ  ＰＤＵを伝送することができる。
【０１３１】
この場合、任意選択で、当該ＰＤＣＣＨが中継データ伝送をスケジューリングするために用いられることを示すために、当該ｅＮＢは、中継特定ＲＮＴＩによって、当該ＰＤＣＣＨに対してスクランブリングすることができる。それに応じて、当該中継端末デバイスは、当該中継特定ＲＮＴＩに基づいてアドレッシングを行うことができるが、本発明の実施例はこれに限定されない。
【０１３２】
Ｓ３４０において、中継端末デバイスは、ＵｕインターフェースのＭＡＣ  ＰＤＵを受信した後に、当該ＭＡＣ  ＰＤＵに含まれている当該遠端端末デバイスのレイヤ２識別子又は端末デバイス識別子を解析し、データに対してカプセル化処理を行い、ＰＣ５インターフェースのＭＡＣ  ＰＤＵを得ることができ、ここで、任意選択で、当該遠端端末デバイスが自身のレイヤ２識別子を知る場合、当該ＰＣ５インターフェースのＭＡＣ  ＰＤＵは、当該遠端端末デバイスのレイヤ２識別子を含むことが可能である。又は、当該中継端末デバイスは、当該遠端デバイスのレイヤ２識別子を遠端端末デバイスの端末デバイス識別子と関連付けし、当該ＰＣ５インターフェースのＭＡＣ  ＰＤＵは、当該遠端端末デバイスの端末デバイス識別子を含むことができるが、本発明の実施例はこれに限定されない。
【０１３３】
Ｓ３５０において、中継端末デバイスは、中継伝送のための特定した時間周波数リソースにおいて、当該ＰＣ５インターフェースのＭＡＣ  ＰＤＵを送信する。
【０１３４】
Ｓ３６０において、遠端端末デバイスは、ＰＣ５インターフェースのＭＡＣ  ＰＤＵを受信した後に、当該ＭＡＣ  ＰＤＵに対して解析処理を行う。当該ＭＡＣ  ＰＤＵが当該遠端端末デバイス自身の端末デバイス識別子又はレイヤ２識別子を含む場合、データを上位レイヤに渡して更なる処理を行い、そうでない場合、当該遠端端末デバイスは、当該ＭＡＣ  ＰＤＵを放棄する。
【０１３５】
図６は、本発明の別の一つの実施例に提供される中継伝送方法４００を概略的に示している。当該方法４００は、ダウンリンクデータの中継伝送に適用することができる。方法４００の中継伝送の中で、遠端端末デバイスのＲＮＴＩを使用して当該遠端端末デバイスを識別する。
【０１３６】
Ｓ４１０はＳ３１０と同様であり、具体的に上記の実施例を参照することが可能であり、簡潔上、ここで省略する。
【０１３７】
Ｓ４２０において、ｅＮＢは、ＧＴＰ−Ｕからの遠端端末デバイスのデータを受信した後に、データをＵｕインターフェースのＭＡＣ  ＰＤＵとしてカプセル化する。
【０１３８】
任意選択で、当該ＵｕインターフェースのＭＡＣ  ＰＤＵは、当該遠端ＵＥの識別子情報を含まなくても良い。
【０１３９】
Ｓ４３０において、ｅＮＢは、ＰＤＣＣＨによって中継端末デバイスのダウンリンクデータ伝送をスケジューリングし、ＰＤＳＣＨにおいて中継端末デバイスに当該ＵｕインターフェースのＭＡＣ  ＰＤＵを送信することができ、ここで、当該ＰＤＣＣＨは、当該遠端端末デバイスのＲＮＴＩを使用してスクランブリングされるものである。
【０１４０】
この場合、当該中継端末デバイスは、遠端端末デバイスの上記のＲＮＴＩによってアドレッシングすることができるが、本発明の実施例はこれに限定されない。当該遠端端末デバイスのＲＮＴＩは、中継伝送の中で、当該遠端端末デバイスを識別するために用いられることができる。当該遠端端末デバイスのＲＮＴＩは、予め定義されるものであっても良く、ネットワークデバイスが当該遠端端末デバイスに割り当てるものであっても良く、例えば、ベアラの確立の中で割り当てられるものであるが、本発明の実施例はこれに限定されない。
【０１４１】
Ｓ４４０において、中継端末デバイスは、ＵｕインターフェースのＭＡＣ  ＰＤＵを受信した後に、当該ＭＡＣ  ＰＤＵをスケジューリングするためのＰＤＣＣＨに使用されるＲＮＴＩに基づいて、当該ＭＡＣ  ＰＤＵに対応する当該遠端端末デバイスを確定し、当該ＵｕインターフェースのＭＡＣ  ＰＤＵに含まれるデータをＰＣ５インターフェースのＭＡＣ  ＰＤＵとしてカプセル化することができ、ここで、当該ＰＣ５インターフェースのＭＡＣ  ＰＤＵは、遠端端末デバイスのＲＮＴＩと関連付けられる端末デバイス識別子又はレイヤ２識別子を含むことができる。
【０１４２】
Ｓ４５０からＳ４６０はＳ３５０からＳ３６０と同様であり、具体的に上記の実施例を参照することが可能であり、簡潔上、ここで省略する。
【０１４３】
図７は、本発明の別の一つの実施例に提供される中継伝送方法５００を概略的に示している。当該方法５００は、アップリンクデータの中継伝送に適用することができる。方法５００の中継伝送の中で、遠端端末デバイスのレイヤ２識別子又は端末デバイス識別子によって、当該遠端端末デバイスを識別する。
【０１４４】
Ｓ５１０において、遠端端末デバイスにセルラーネットワークへの送信待ちデータが存在する時に、遠端端末デバイスは、データをＭＡＣ  ＰＤＵとしてカプセル化し、ここで、当該ＭＡＣ  ＰＤＵは、当該遠端端末デバイスの端末デバイス識別子を含み又はレイヤ２識別子である。
【０１４５】
Ｓ５２０において、遠端端末デバイスは、ＰＣ５インターフェースを介して、中継伝送のための時間周波数リソースにおいて当該ＭＡＣ  ＰＤＵを送信する。
【０１４６】
Ｓ５３０において、中継端末デバイスは、遠端端末デバイスからのＭＡＣ  ＰＤＵを受信した後に、ＰＣ５  インターフェースのＭＡＣ  ＰＤＵを解析し、当該ＰＣ５  インターフェースのＭＡＣ  ＰＤＵに含まれている端末デバイス識別子又はレイヤ２識別子に基づいて、ＵｕインターフェースのＭＡＣ  ＰＤＵをカプセル化し、ここで、ＵｕインターフェースのＭＡＣ  ＰＤＵは、ネットワークデバイスが当該遠端端末デバイスに割り当てるレイヤ２識別子又は端末デバイス識別子を含む。
【０１４７】
任意選択で、Ｓ５４０において、当該中継端末デバイスは、アップリンク許可要求を行う。
【０１４８】
任意選択で、当該中継端末デバイスは、現行のフローによって、アップリンク許可要求フローを開始することができるが、本発明の実施例はこれに限定されない。
【０１４９】
Ｓ５５０において、中継端末デバイスは、ｅＮＢがアップリンク許可の中で割り当てられるアップリンク伝送リソースを使用して、ＵｕインターフェースのＭＡＣ  ＰＤＵをｅＮＢに送信する。
【０１５０】
Ｓ５６０において、ｅＮＢは、ＵｕインターフェースのＭＡＣ  ＰＤＵを解析し、遠端端末デバイスのレイヤ２識別子又は端末デバイス識別子を識別する。
【０１５１】
Ｓ５７０において、ｅＮＢは、Ｓ１インターフェースを介して、当該レイヤ２識別子又は端末デバイス識別子に対応するＧＴＰ−Ｕにおいて、当該ＭＡＣ  ＰＤＵに含まれるデータをＰ−ＧＷに伝送する。
【０１５２】
図８は、本発明の別の一つの実施例に提供される中継伝送方法６００を概略的に示している。当該方法６００は、アップリンクデータの中継伝送に適用することができる。
【０１５３】
Ｓ６１０〜Ｓ６２０は、Ｓ５１０〜Ｓ５２０と同様であり、具体的に上記の実施例を参照することができ、簡潔上、ここで省略する。
【０１５４】
Ｓ６３０において、中継端末デバイスは、遠端端末デバイスからのＭＡＣ  ＰＤＵを受信した後に、受信したＰＣ５  インターフェースの当該ＭＡＣ  ＰＤＵを解析し、当該ＭＡＣ  ＰＤＵに対応する遠端端末デバイスを確定し、当該ＰＣ５  インターフェースの当該ＭＡＣ  ＰＤＵをＵｕインターフェースのＭＡＣ  ＰＤＵとしてカプセル化する。
【０１５５】
Ｓ６４０において、中継端末デバイスは、ＰＣ５インターフェースのＭＡＣ  ＰＤＵに含まれている遠端端末デバイスの端末デバイス識別子又はレイヤ２識別子に基づいて、ネットワークデバイスが当該遠端端末デバイスのために構成されるプリアンブルコードを確定し、当該プリアンブルコードを使用して、アップリンク許可要求フローを開始させる。ｅＮＢｈ、中継端末デバイスの当該プリアンブルコードを受信した後に、当該プリアンブルコードに基づいて、遠端端末デバイスのデータにアップリンク伝送リソースを割り当てることができる。
【０１５６】
任意選択で、ネットワークデバイスは、当該遠端端末デバイスのためにベアラを確立する過程において、当該遠端端末デバイスに当該プリアンブルコードを割り当てることができる。当該中継端末デバイスは、当該ネットワークデバイスが割り当てる当該プリアンブルコードを受信した後に、当該プリアンブルコードを当該遠端端末デバイスの識別子情報を関連付けることができるが、本発明の実施例はこれに限定されない。
【０１５７】
Ｓ６５０において、中継端末デバイスは、ｅＮＢがアップリンク許可の過程で割り当てるアップリンク伝送リソースを使用して、ＵｕインターフェースのＭＡＣ  ＰＤＵをｅＮＢに送信することができる。
【０１５８】
Ｓ６６０〜Ｓ６７０はＳ５６０〜Ｓ５７０と同様であり、具体的に上記の実施例を参照することができ、簡潔上、ここで省略する。
【０１５９】
本実施例において、中継端末デバイスは、遠端端末デバイスに対応するプリアンブルコードを使用して、アップリンク許可を要求する。当該ｅＮＢが当該プリアンブルコードを受信した後に、当該プリアンブルコードに対応する遠端端末デバイスを確定し、当該中継端末デバイスにアップリンク伝送リソースを割り当てることができ、この場合、当該ｅＮＢは、当該遠端端末デバイスを当該アップリンク伝送リソースと関連付けることができる。その後に、ｅＮＢがＵｕインターフェースのＭＡＣ  ＰＤＵを受信した後に、当該アップリンク伝送リソースに基づいて、当該ＵｕインターフェースのＭＡＣ  ＰＤＵに対応する遠端端末デバイスを確定することができる。この場合、当該ＵｕインターフェースのＭＡＣ  ＰＤＵは、当該遠端端末デバイスの識別子情報を含まなくても良く、それによってさらにシグナリングオーバーヘッドを低減することができる。
【０１６０】
図９は、本発明の実施例に提供されるベアラ確立方法７００を概略的に示している。当該方法７００において、当該遠端端末デバイスが既にセルラーネットワーク（例えば、進化型地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にアタッチしており、又は当該遠端端末デバイスが既にセルラーネットワークとＰＤＮ接続を確立していると仮定するが、本発明の実施例はこれに限定されない。
【０１６１】
Ｓ７１０において、遠端端末デバイスは、中継端末デバイスを発見して滞在する。
【０１６２】
Ｓ７２０において、遠端端末デバイスは、中継端末デバイスにダイレクト通信要求（Ｄｉｒｅｃｔ  Ｃｏｍｍｕｎｉｃａｔｉｏｎ  Ｒｅｑｕｅｓｔ）を送信し、ここで、当該ダイレクト通信要求は、当該遠端端末デバイスの端末デバイス識別子と当該遠端端末デバイスのＰＤＮ接続のＩＰアドレスを含むことができる。
【０１６３】
当該ダイレクト通信要求は、具体的に、当該遠端端末デバイスと当該中継端末デバイスとの間のＤ２Ｄ通信リンク、例えば、当該遠端端末デバイスと当該中継端末デバイスとの間のＰＣ５接続を確立するために用いられるが、本発明の実施例はこれに限定されない。
【０１６４】
Ｓ７３０において、中継端末デバイスは、遠端端末デバイスより送信されるダイレクト通信要求を受信した後に、ＭＭＥに当該遠端端末デバイスの端末デバイス識別子とＰＤＮ接続のＩＰアドレスを報告する。
【０１６５】
Ｓ７４０において、ＭＭＥは、当該端末デバイス識別子とＩＰアドレスを記憶し、それらをＳ−ＧＷ／Ｐ−ＧＷに送信することができる。
【０１６６】
Ｓ７５０において、ＭＭＥとＳ−ＧＷとは、当該遠端端末デバイスにＳ１−ＵインターフェースのＧＴＰトンネリング、例えば、トンネリングエンドポイント識別子（ＴＥＩＤ：Ｔｕｎｎｅｌ  Ｅｎｄｐｏｉｎｔ  Ｉｄｅｎｔｉｆｉｅｒ）等を割り当てる。
【０１６７】
Ｓ７６０において、ｅＮＢは、遠端端末デバイスに無線ベアラを割り当て、ここで、当該遠端端末デバイスに割り当てるレイヤ２識別子及び／又はＲＮＴＩを含む。
【０１６８】
当該無線ベアラは、当該アクセスネットワークデバイスと当該中継端末デバイスとの間のセルラーデータ伝送チャネル、及び当該中継端末デバイスと当該遠端端末デバイスとの間のＤ２Ｄデータ伝送チャネルを含むことができる。任意選択で、当該無線ベアラの構成情報は、物理層構成情報とＭＡＣ層構成情報とを含むことができ、任意選択で、当該物理層構成情報は、当該遠端端末デバイスに割り当てるプリアンブルコードを含むことができるが、本発明の実施例はこれに限定されない。
【０１６９】
Ｓ７７０において、中継端末デバイスは、遠端端末デバイスにダイレクト通信応答を送信する。
【０１７０】
任意選択で、当該ダイレクト通信応答は、無線リソース制御（ＲＲＣ：Ｒａｄｉｏ  Ｒｅｓｏｕｒｃｅ  Ｃｏｎｔｒｏｌ）コンテナを含むことができ、当該ＲＲＣコンテナに、ＲＬＣ層構成及び／又はＰＤＣＰ層構成がカプセル化されても良い。それに応じて、当該遠端端末デバイスは、ダイレクト通信応答を受信した後に、当該ダイレクト通信応答内のＲＲＣ構成に基づいて、対応するＲＬＣ層及び／又はＰＤＣＰ層を設定することができる。任意選択で、当該ダイレクト通信応答は、当該ネットワークデバイスが遠端端末デバイスに割り当てるレイヤ２識別子をさらに含むことができるが、本発明の実施例はこれに限定されない。
【０１７１】
図１０は、本発明の実施例に提供される別の一つのベアラ確立方法８００を概略的に示している。当該方法８００において、遠端端末デバイスがデフォルトＰＤＮ接続をまだ確立されていないと仮定する。
【０１７２】
Ｓ８１０において、遠端端末デバイスは、中継端末デバイスを発見して滞在する。
【０１７３】
Ｓ８２０において、遠端端末デバイスは、中継端末デバイスにダイレクト通信要求を送信し、当該ダイレクト通信要求は、遠端端末デバイスの端末デバイス識別子と、ＰＤＮ接続を確立するよう要求するための指示情報とを含むことができる。
【０１７４】
この場合、当該ダイレクト通信要求は、当該遠端端末デバイスと当該中継端末デバイスとの間のＰＣ５接続を確立するように要求するために用いられることが可能であり、任意選択で、当該遠端端末デバイスとセルラーネットワークとの間のＰＤＮ接続を確立するように要求するためにさらに用いられることができる。
【０１７５】
Ｓ８３０において、中継端末デバイスは、当該ダイレクト通信要求に基づいて、ＭＭＥにＰＤＮ接続確立要求を送信し、遠端端末デバイスのＰＤＮ接続を確立するように要求することができる。任意選択で、当該ＰＤＮ接続確立要求は、遠端端末デバイスの端末デバイス識別子を含むことができる。
【０１７６】
Ｓ８４０において、コアネットワークデバイス（ＭＭＥ又はＳ−ＧＷ/Ｐ−ＧＷ）は、遠端端末デバイスのために、ＰＤＮ接続を確立して、当該遠端端末デバイスにＩＰアドレスを割り当てる。
【０１７７】
Ｓ８５０において、ＭＭＥは、中継端末デバイスにＰＤＮ接続確立応答を送信し、当該ＰＤＮ接続確立応答がＰＤＮ接続の構成情報、例えば、ＩＰアドレス等を含む。
【０１７８】
Ｓ８６０において、ＭＭＥは、遠端端末デバイスにＳ１−Ｕ  ＧＴＰトンネリング、例えば、ＴＥＩＤ等を割り当てる。
【０１７９】
Ｓ８７０において、ｅＮＢは、遠端端末デバイスに中継端末デバイスとｅＮＢとの間の無線ベアラを割り当て、ここで当該遠端端末デバイスに割り当てるレイヤ２識別子及び／又はＲＮＴＩを含むことができる。
【０１８０】
Ｓ８８０において、中継端末デバイスは、遠端端末デバイスにダイレクト通信応答を送信する。
【０１８１】
任意選択で、当該ダイレクト通信応答は、ＲＲＣコンテナを含むことが可能であり、当該ＲＲＣコンテナに、ＲＬＣ層構成及び／又はＰＤＣＰ層構成がカプセル化されても良い。それに応じて、当該遠端端末デバイスは、ダイレクト通信応答を受信した後に、当該ダイレクト通信応答内のＲＲＣ構成に基づいて、対応するＲＬＣ層及び／又はＰＤＣＰ層を設定することができる。任意選択で、当該ダイレクト通信応答は、当該ネットワークデバイスが遠端端末デバイスに割り当てるレイヤ２識別子を含むことができるが、本発明の実施例はこれに限定されない。
【０１８２】
なお、図５〜図１０の例は、当業者がより良く本発明の実施例を理解させるためのものであり、本発明の実施例の範囲を制限するわけではない。当業者は、図５〜図１０の例に基づいて、等価的な変形又は変更を行うことができ、このような変形又は変更も本発明の実施例の範囲内である。
【０１８３】
本発明の各実施例において、上記の各過程の番号は実施の前後順序と意味せず、各過程の実施順序は、その機能と自身のロジックによって確定されるべきであり、本発明の実施例の実施過程を制限するものになるわけではない、理解すべきである。
【０１８４】
上記において、図２〜図１０を結合し、本発明の実施例による中継伝送方法を詳しく説明しており、下記において図１１〜図１６を結合し、本発明の実施例による中継伝送装置を詳しく説明する。
【０１８５】
図１１は、本発明の実施例に提供される中継伝送装置９００を示しており、当該装置９００は、受信ユニット９１０、処理ユニット９２０、及び送信ユニット９３０を含む。
【０１８６】
受信ユニット９１０は、送信側デバイスから受信側デバイスに送信された第１のレイヤ２プロトコルデータユニット（ＰＤＵ）を受信するように構成され、ここで、当該第１のレイヤ２ＰＤＵに遠端端末デバイスの識別子情報が含まれ、又は当該第１のレイヤ２ＰＤＵが、当該遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０１８７】
処理ユニット９２０は、当該受信ユニット９１０で受信された当該第１のレイヤ２ＰＤＵに基づいて、第２のレイヤ２ＰＤＵを生成するように構成される。
【０１８８】
送信ユニット９３０は、当該受信側デバイスに当該処理ユニット９２０で生成された当該第２のレイヤ２ＰＤＵを送信するように構成される。
【０１８９】
ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０１９０】
任意選択で、当該遠端端末デバイスの識別子情報は当該遠端端末デバイスの端末デバイス識別子又は当該遠端端末デバイスのレイヤ２識別子を含む。
【０１９１】
任意選択で、当該送信側デバイスが当該ネットワークデバイスであり、且つ当該受信側デバイスが当該遠端端末デバイスである場合、当該遠端端末デバイスの識別子情報は当該遠端端末デバイスのレイヤ２識別子を含む。この場合、当該処理ユニット９２０は、具体的に当該レイヤ２識別子に対応する端末デバイス識別子を確定し、当該第１のレイヤ２ＰＤＵに含まれるデータに対してカプセル化処理を行い、第２のレイヤ２ＰＤＵを生成するように構成され、ここで、当該第２のレイヤ２ＰＤＵが当該対応する端末デバイス識別子を含む。
【０１９２】
任意選択で、当該送信側デバイスが当該遠端端末デバイスであり、かつ当該受信側デバイスが当該ネットワークデバイスである場合、当該処理ユニット９２０は、当該第１のレイヤ２ＰＤＵに基づいて、第２のレイヤ２ＰＤＵを生成する前に、当該遠端端末デバイスの識別子情報に対応するプリアンブルコードを確定するようにさらに構成される。
【０１９３】
当該送信ユニット９３０は、当該ネットワークデバイスに、当該処理ユニット９２０で確定した当該プリアンブルコードを送信するようにさらに構成される。
【０１９４】
当該受信ユニット９１０は、当該ネットワークデバイスが当該プリアンブルコードに基づいて送信したアップリンク許可を受信するようにさらに構成され、当該アップリンク許可が、当該ネットワークデバイスが割り当てるアップリンク伝送リソースを示す。
【０１９５】
当該送信ユニット９３０は、具体的に、当該受信ユニット９１０で受信された当該アップリンク許可により指示されるアップリンク伝送リソースを使用して、当該ネットワークデバイスに当該第２のレイヤ２ＰＤＵを送信するように構成される。
【０１９６】
任意選択で、当該送信側デバイスが当該遠端端末デバイスであり、且つ当該受信側デバイスがネットワークデバイスである場合、当該送信ユニット９３０は、当該受信側デバイスに当該第２のレイヤ２ＰＤＵを送信する前に、当該ネットワークデバイスに、バッファ状態報告（ＢＳＲ）を送信するようにさらに構成され、ここで、当該ＢＳＲに当該遠端端末デバイスの識別子情報が含まれる。
【０１９７】
当該受信ユニット９１０は、当該ネットワークデバイスが当該ＢＳＲに基づいて送信するＰＤＣＣＨを受信するようにさらに構成され、当該ＰＤＣＣＨに当該遠端端末デバイスの識別子情報が含まれる。
【０１９８】
当該送信ユニット９３０は、具体的に、当該受信ユニット９１０で受信された当該ＰＤＣＣＨに基づいて、当該ネットワークデバイスに当該第２のレイヤ２ＰＤＵを送信するように構成される。
【０１９９】
任意選択で、当該送信側デバイスが当該遠端端末デバイスであり、且つ当該受信側デバイスがネットワークデバイスである場合、当該遠端端末デバイスの識別子情報は当該遠端端末デバイスの端末デバイス識別子を含む。この場合、当該処理ユニット９２０は、具体的に、当該端末デバイス識別子に対応するレイヤ２識別子を確定し、当該第１のレイヤ２ＰＤＵに含まれるデータに対してカプセル化処理を行い、第２のレイヤ２ＰＤＵを生成するように構成され、ここで、当該第２のレイヤ２ＰＤＵに当該に対応するレイヤ２識別子が含まれる。
【０２００】
任意選択で、当該送信側デバイスがネットワークデバイスであり、且つ当該受信側デバイスが当該遠端端末デバイスである場合、当該第１のレイヤ２ＰＤＵは、中継特定ロジックチャネル識別子を含む。この場合、当該処理ユニット９２０は、当該第１のレイヤ２ＰＤＵに基づいて、第２のレイヤ２ＰＤＵを生成する前に、当該中継特定ロジックチャネル識別子に基づいて、当該第１のレイヤ２ＰＤＵに含まれるデータを転送する必要があることを確定するようにさらに構成される。
【０２０１】
任意選択で、当該送信側デバイスが当該遠端端末デバイスであり、且つ当該受信側デバイスがネットワークデバイスである場合、当該第２のレイヤ２ＰＤＵは、中継特定ロジックチャネル識別子を含む。ネットワークデバイスは、当該中継特定ロジックチャネル識別子に基づいて、当該第２のレイヤ２ＰＤＵに含まれるデータが当該中継端末デバイスにより伝送されるものであることを確定することができる。
【０２０２】
任意選択で、当該送信側デバイスが当該遠端端末デバイスであり、且つ当該受信側デバイスがネットワークデバイスである場合、当該第１のレイヤ２ＰＤＵは、当該遠端端末デバイスが中継伝送のための伝送リソースを使用して送信するものである。この場合、当該処理ユニット９２０は、当該第１のレイヤ２ＰＤＵに基づいて、第２のレイヤ２ＰＤＵを生成する前に、当該伝送リソースに基づいて、当該第１のレイヤ２ＰＤＵに含まれるデータを転送する必要があることを確定するようにさらに構成される。
【０２０３】
任意選択で、当該送信側デバイスがネットワークデバイスであり、且つ当該受信側デバイスが当該遠端端末デバイスである場合、当該送信ユニット９３０は、具体的に、中継伝送のための伝送リソースによって、当該遠端端末デバイスに当該第２のレイヤ２ＰＤＵを送信するように構成される。当該遠端端末デバイスは、当該第２のレイヤ２ＰＤＵに占用される伝送リソースに基づいて、当該第２のレイヤ２ＰＤＵに含まれるデータが中継端末デバイスにより転送されるものであることを確定することができる。
【０２０４】
任意選択で、当該送信側デバイスが当該ネットワークデバイスであり、かつ当該受信側デバイスが遠端端末デバイスである場合、当該第１のレイヤ２ＰＤＵは、ネットワークデバイスが中継特定ＲＮＴＩに基づいてスクランブリングする物理ダウンリンク制御チャネル（ＰＤＣＣＨ）によってスケジューリングされるものである。この場合、当該処理ユニット９２０は、当該第１のレイヤ２ＰＤＵに基づいて、第２のレイヤ２ＰＤＵを生成する前に、当該第１のレイヤ２ＰＤＵをスケジューリングするためのＰＤＣＣＨに使用される中継特定ＲＮＴＩに基づいて、当該第１のレイヤ２ＰＤＵに含まれるデータを転送する必要があることを確定するようにさらに構成される。
【０２０５】
任意選択で、当該受信ユニット９１０は、送信側デバイスより送信される第１のレイヤ２ＰＤＵを受信する前に、当該遠端端末デバイスの接続確立要求を受信するようにさらに構成され、当該接続確立要求が、当該中継端末デバイスと当該遠端端末デバイスとの間のＤ２Ｄ通信リンクを確立するように要求するために用いられ、当該送信ユニット９３０は、当該接続確立要求に基づいて、コアネットワークデバイスにベアラ確立要求を送信するようにさらに構成され、当該コアネットワークデバイスが当該ネットワークデバイスと当該遠端端末デバイスのＥＰＳベアラを確定することができるように、当該ベアラ確立要求が当該遠端端末デバイスの端末デバイス識別子を含み、当該受信ユニット９１０は、当該ネットワークデバイスより送信されるベアラ確立応答を受信するようにさらに構成され、当該ベアラ確立応答が、当該ネットワークデバイスが当該遠端端末デバイスのために確立するＥＰＳベアラの構成情報を含み、ここで、当該ＥＰＳベアラが、当該ネットワークデバイスと当該中継端末デバイスとの間のセルラーデータ伝送チャネル、及び当該中継端末デバイスと当該遠端端末デバイスとの間のＤ２Ｄデータ伝送チャネルを含む。
【０２０６】
任意選択で、当該ＥＰＳベアラの構成情報は、ＭＡＣ層構成情報と物理層構成情報とを含む。この場合、当該送信ユニット９３０は、当該遠端端末デバイスに接続確立応答を送信するようにさらに構成され、当該接続確立応答は、当該物理層構成情報と当該ＭＡＣ層構成情報とを含む。
【０２０７】
選択可能な例をとして、装置９００は、具体的に、上記の実施例の中継端末デバイスであっても良く、装置９００は、上記の方法実施例における中継端末デバイスに対応する各フロー及び／又はステップを実施するように構成され、重複を避けるために、ここで省略する。
【０２０８】
図１２は、本発明の実施例に提供される別の一つの中継伝送装置１１００を概略的に示していり、当該装置１１００は、処理ユニット１１１０、送信ユニット１１２０を含む。
【０２０９】
処理ユニット１１１０は、受信側デバイスへの送信待ちのデータに対してカプセル化処理を行い、第１のレイヤ２プロトコルデータユニット（ＰＤＵ）を生成するように構成され、ここで、当該第１のレイヤ２ＰＤＵに遠端端末デバイスの識別子情報が含まれ、又は当該第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０２１０】
送信ユニット１１２０は、中継端末デバイスに当該処理ユニット１１１０で生成された当該第１のレイヤ２ＰＤＵを送信するように構成される。
【０２１１】
ここで、当該装置１１００は当該遠端端末デバイスであり、且つ当該受信側デバイスはネットワークデバイスであり、又は当該装置１１００はネットワークデバイスであり、且つ当該受信側デバイスは当該遠端端末デバイスである。
【０２１２】
任意選択で、当該遠端端末デバイスの識別子情報は当該遠端端末デバイスの端末デバイス識別子又は当該遠端端末デバイスのレイヤ２識別子を含む。
【０２１３】
任意選択で、当該第１のレイヤ２ＰＤＵは、中継特定ロジックチャネル識別子を含み、当該中継特定ロジックチャネル識別子が、当該中継端末デバイス当該第１のレイヤ２ＰＤＵに含まれるデータを転送する必要があることを確定するために用いられる。
【０２１４】
任意選択で、当該装置１１００が当該遠端端末デバイスである場合、当該送信ユニット１１２０は、具体的に、中継伝送のための伝送リソースを使用して、当該中継端末デバイスに当該第１のレイヤ２ＰＤＵを送信するように構成される。
【０２１５】
任意選択で、当該装置１１００が当該ネットワークデバイスである場合、当該送信ユニット１１２０は、中継端末デバイスに当該第１のレイヤ２ＰＤＵを送信する前に、当該中継端末デバイスに中継特定ＲＮＴＩを使用してスクランブリングするＰＤＣＣＨを送信するようにさらに構成され、当該ＰＤＣＣＨが当該第１のレイヤ２ＰＤＵをスケジューリングするために用いられ、ここで、当該中継特定ＲＮＴＩが、当該中継端末デバイスが、当該第１のレイヤ２ＰＤＵに含まれるデータを転送する必要があることを確定するために用いられる。
【０２１６】
任意選択で、当該装置１１００がネットワークデバイスである場合、当該装置１１００は、受信ユニットをさらに含む。
【０２１７】
受信ユニットは、当該処理ユニット１１１０で第１のレイヤ２ＰＤＵを生成する前に、ベアラ確立要求を受信するように構成され、当該ベアラ確立要求が当該遠端端末デバイスの端末デバイス識別子を含む。
【０２１８】
当該処理ユニット１１１０は、当該受信ユニットで受信された当該ベアラ確立要求に基づいて、当該遠端端末デバイスのＥＰＳベアラを確立するようにさらに構成され、ここで、当該ＥＰＳベアラが、当該ネットワークデバイスと当該中継端末デバイスとの間のセルラーデータ伝送チャネル、及び当該中継端末デバイスと当該遠端端末デバイスとの間のＤ２Ｄデータ伝送チャネルを含む。
【０２１９】
当該送信ユニット１１２０は、当該中継端末デバイスにベアラ確立応答を送信するようにさらに構成され、当該ベアラ確立応答が当該ＥＰＳベアラの構成情報を含む。
【０２２０】
任意選択で、当該ＥＰＳベアラの構成情報は、ＭＡＣ層構成情報と物理層構成情報とを含むことが可能であり、又はＰＤＣＰ層構成情報及び／又はＲＬＣ層構成情報をさらに含むことが可能である。
【０２２１】
一つの選択可能な例において、装置１１００は、具体的に、上記の実施例における送信側デバイスであっても良く、装置１１００は、上記の方法実施例における送信側デバイスに対応する各フロー及び／又はステップを実施するように構成され、重複を避けるために、ここで省略する。
【０２２２】
図１３は、本発明の実施例に提供される別の一つの中継伝送装置１２００を概略的に示しており、当該装置１２００は、受信ユニット１２１０と処理ユニット１２２０とを含む。
【０２２３】
受信ユニット１２１０は、中継端末デバイスより送信される第２のレイヤ２プロトコルデータユニット（ＰＤＵ）を受信するように構成され、当該第２のレイヤ２ＰＤＵが、当該中継端末デバイスが送信側デバイスより送信される第１のレイヤ２ＰＤＵに基づいて生成されるものであり、当該第１のレイヤ２ＰＤＵに遠端端末デバイスの識別子情報が含まれ、又は当該第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０２２４】
処理ユニット１２２０は、当該受信ユニット１２１０で受信された当該第２のレイヤ２ＰＤＵに対応する当該遠端端末デバイスを確定するように構成される。
【０２２５】
ここで、当該送信側デバイスは当該遠端端末デバイスであり、且つ当該装置１２００はネットワークデバイスであり、又は当該送信側デバイスはネットワークデバイスであり、かつ当該装置１２００は当該遠端端末デバイスである。
【０２２６】
任意選択で、当該遠端端末デバイスの識別子情報は、当該遠端端末デバイスの端末デバイス識別子又は当該遠端端末デバイスのレイヤ２識別子を含む。
【０２２７】
任意選択で、当該装置１２００が当該遠端端末デバイスである場合、当該第２のレイヤ２ＰＤＵは、当該遠端端末デバイスの端末デバイス識別子を含む。この場合、当該処理ユニット１２２０は、具体的に、当該第２のレイヤ２ＰＤＵに含まれている端末デバイス識別子に基づいて、当該第２のレイヤ２ＰＤＵに対応する当該遠端端末デバイスを確定するように構成される。
【０２２８】
任意選択で、当該装置１２００が当該ネットワークデバイスである場合、当該受信ユニット１２１０は、中継端末デバイスより送信される第２のレイヤ２ＰＤＵを受信する前に、当該中継端末デバイスより送信される当該遠端端末デバイスに対応するプリアンブルコードを受信するようにさらに構成される。この場合、当該装置１２００は、送信ユニットをさらに含み、送信ユニットは、当該受信ユニット１２１０で受信された当該プリアンブルコードに基づいて、当該中継端末デバイスにアップリンク許可を送信するように構成され、当該アップリンク許可が、当該ネットワークデバイスにより割り当てるアップリンク伝送リソースを示す。
【０２２９】
当該受信ユニット１２１０は、具体的に、当該中継端末デバイスが、当該送信ユニットより送信されるアップリンク許可に示される当該アップリンク伝送リソースを使用して、送信される第２のレイヤ２ＰＤＵを受信するように構成される。
【０２３０】
当該処理ユニット１２２０は、具体的に、当該第２のレイヤ２ＰＤＵに占用されるアップリンク伝送リソースに基づいて、当該第２のレイヤ２ＰＤＵに対応する当該遠端端末デバイスを確定するように構成される。
【０２３１】
任意選択で、当該装置１２００がネットワークデバイスである場合、当該受信ユニット１２１０は、中継端末デバイスより送信される第２のレイヤ２ＰＤＵを受信する前に、当該中継端末デバイスより送信されるバッファ状態報告（ＢＳＲ）を受信するようにさらに構成され、ここで、当該ＢＳＲに当該遠端端末デバイスの識別子情報が含まれる。この場合、当該装置１２００は、送信ユニットをさらに含み、送信ユニットは、当該受信ユニット１２１０で受信された当該ＢＳＲに基づいて、当該中継端末デバイスにＰＤＣＣＨを送信するように構成され、当該ＰＤＣＣＨに当該遠端端末デバイスの識別子情報が含まれる。
【０２３２】
当該処理ユニット１２２０は、具体的に、当該第２のレイヤ２ＰＤＵをスケジューリングするためのＰＤＣＣＨに基づいて、当該第２のレイヤ２ＰＤＵに対応する当該遠端端末デバイスを確定するように構成される。
【０２３３】
任意選択で、当該装置１２００がネットワークデバイスである場合、当該遠端端末デバイスの識別子情報は当該遠端端末デバイスの端末デバイス識別子を含み、当該第２のレイヤ２ＰＤＵは当該遠端端末デバイスのレイヤ２識別子を含む。この場合、当該処理ユニット１２２０は、具体的に、当該第２のレイヤ２ＰＤＵに含まれているレイヤ２識別子に基づいて、当該第２のレイヤ２ＰＤＵに対応する当該遠端端末デバイスを確定するように構成される。
【０２３４】
一つの選択可能な例において、装置１２００は、具体的に、上記の実施例における受信側デバイスであっても良く、装置１２００は、上記の方法実施例における受信側デバイスに対応する各フロー及び／又はステップを実施するように構成され、重複を避けるために、ここで省略する。
【０２３５】
なお、上記の装置９００、装置１１００、及び装置１２００のそれぞれは、機能ユニットとして現れる。ここでの用語「ユニット」は、アプリケーション特別集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば、共有プロセッサ、専用プロセッサ又はプロセッサセット等）と記憶装置、組み合わせロジック回路及び／又はその他の説明している機能をサポートする適切なコンポーネントを意味することが可能である。
【０２３６】
図１４は、本発明の実施例に提供される中継伝送装置１３００を示しており、当該装置１３００は、レシーバー１３１０、プロセッサ１３２０、及びトランスミッター１３３０を含む。
【０２３７】
レシーバー１３１０は、送信側デバイスから受信側デバイスに送信された第１のレイヤ２プロトコルデータユニット（ＰＤＵ）を受信するように構成され、ここで、当該第１のレイヤ２ＰＤＵに遠端端末デバイスの識別子情報が含まれ、又は当該第１のレイヤ２ＰＤＵが、当該遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０２３８】
プロセッサ１３２０は、当該レシーバー１３１０で受信された当該第１のレイヤ２ＰＤＵに基づいて、第２のレイヤ２ＰＤＵを生成するように構成される。
【０２３９】
トランスミッター１３３０は、当該受信側デバイスに当該プロセッサ１３２０で生成された当該第２のレイヤ２ＰＤＵを送信するように構成される。
【０２４０】
ここで、当該送信側デバイスが当該遠端端末デバイスであり、且つ当該受信側デバイスがネットワークデバイスであり、又は当該送信側デバイスがネットワークデバイスであり、且つ当該受信側デバイスが当該遠端端末デバイスである。
【０２４１】
なお、装置１３００は、具体的に上記の実施例における中継端末デバイスであっても良く、上記の方法実施例における中継端末デバイスに対応する各フロー及び／又はステップを実施するように構成されることができる。任意選択で、装置１３００は記憶装置をさらに含むことができ、当該記憶装置は、読み取り専用記憶装置とランダムアクセス記憶装置と含むことができ、プロセッサに命令とデータとを提供する。記憶装置の一部は、不揮発性ランダムアクセス記憶装置をさらに含むことができる。例えば、記憶装置は、デバイスタイプの情報を記憶することもできる。プロセッサは、記憶装置に記憶される命令を実行するように構成されことができ、当該プロセッサが記憶装置に記憶される命令を実行する時に、当該プロセッサは、上記の方法実施例の各ステップ及び／又はフローを実行するように構成される。
【０２４２】
図１５は、本発明の実施例に提供される別の一つの中継伝送装置１４００を示しており、当該装置１４００は、プロセッサ１４１０と送受信装置１４２０とを含む。
【０２４３】
プロセッサ１４１０は、受信側デバイスへの送信待ちのデータに対してカプセル化処理を行い、第１のレイヤ２プロトコルデータユニット（ＰＤＵ）を生成するように構成され、ここで、当該第１のレイヤ２ＰＤＵに遠端端末デバイスの識別子情報が含まれ、又は当該第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０２４４】
送受信装置１４２０は、中継端末デバイスに当該プロセッサ１４１０で生成された当該第１のレイヤ２ＰＤＵを送信するように構成される。
【０２４５】
ここで、当該装置１４００は当該遠端端末デバイスであり、且つ当該受信側デバイスはネットワークデバイスであり、又は当該装置１４００はネットワークデバイスであり、且つ当該受信側デバイスは当該遠端端末デバイスである。
【０２４６】
なお、装置１４００は、具体的に上記の実施例における送信側デバイスであっても良く、上記の方法実施例における送信側デバイスに対応する各フロー及び／又はステップを実施するように構成されることができる。任意選択で、装置１４００は記憶装置をさらに含むことができ、当該記憶装置は、読み取り専用記憶装置とランダムアクセス記憶装置と含むことができ、プロセッサに命令とデータとを提供する。記憶装置の一部は、不揮発性ランダムアクセス記憶装置をさらに含むことができる。例えば、記憶装置は、デバイスタイプの情報を記憶することもできる。プロセッサは、記憶装置に記憶される命令を実行するように構成されことができ、当該プロセッサが記憶装置に記憶される命令を実行する時に、当該プロセッサは、上記の方法実施例の各ステップ及び／又はフローを実行するように構成される。
【０２４７】
図１６は、本発明の実施例に提供される別の一つの中継伝送装置１５００を概略的に示しており、当該装置１５００は、送受信装置１５１０とプロセッサ１５２０とを含む。
【０２４８】
送受信装置１５１０は、中継端末デバイスより送信される第２のレイヤ２プロトコルデータユニット（ＰＤＵ）を受信するように構成され、当該第２のレイヤ２ＰＤＵが、当該中継端末デバイスが送信側デバイスより送信される第１のレイヤ２ＰＤＵに基づいて生成されるものであり、当該第１のレイヤ２ＰＤＵに遠端端末デバイスの識別子情報が含まれ、又は当該第１のレイヤ２ＰＤＵが、遠端端末デバイスの無線ネットワーク一時識別子（ＲＮＴＩ）を使用してスクランブリングする物理ダウンリンク制御チャネル（ＰＤＣＣＨ）によってスケジューリングされるものである。
【０２４９】
プロセッサ１５２０は、当該送受信装置１５１０で受信された当該第２のレイヤ２ＰＤＵに対応する当該遠端端末デバイスを確定するように構成される。
【０２５０】
ここで、当該送信側デバイスは当該遠端端末デバイスであり、且つ当該装置１５００はネットワークデバイスであり、又は当該送信側デバイスはネットワークデバイスであり、且つ当該装置１５００は当該遠端端末デバイスである。
【０２５１】
なお、装置１５００は、具体的に上記の実施例における受信側デバイスであっても良く、上記の方法実施例における受信側デバイスに対応する各フロー及び／又はステップを実施するように構成されることができる。任意選択で、装置１５００は記憶装置をさらに含むことができ、当該記憶装置は、読み取り専用記憶装置とランダムアクセス記憶装置と含むことができ、プロセッサに命令とデータとを提供する。記憶装置の一部は、不揮発性ランダムアクセス記憶装置をさらに含むことができる。例えば、記憶装置は、デバイスタイプの情報を記憶することもできる。プロセッサは、記憶装置に記憶される命令を実行するように構成されことができ、当該プロセッサが記憶装置に記憶される命令を実行する時に、当該プロセッサは、上記の方法実施例の各ステップ及び／又はフローを実行するように構成される。
【０２５２】
なお、本発明の実施例において、当該プロセッサーは、中央処理ユニット（ＣＰＵ：Ｃｅｎｔｒａｌ  Ｐｒｏｃｅｓｓｉｎｇ  Ｕｎｉｔ）であっても良く、当該プロセッサーは、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良い
実現過程において、上記方法の実施例における各ステップは、プロセッサにおけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおけ命令を実行し、そのハードウェアと組み合わせて上記方法のステップを完成する。重複を避けるために、ここで省略する。
【０２５３】
なお、重複を避けるために、本願における実施例の記載が、主に各実施例間の異なる部分を強調し、それらの同様又は類似する部分を互いに参照すること可能である。
【０２５４】
本願に開示されている実施例の記載を結合した各方法ステップとユニットは、電子ハードウェア、コンピュータソフトウェア、又はそれらの結合で実現することができると、当業者であれば理解できる。ハードウェアとソフトウェアの互換性の可能性を明確に説明するため、上記の説明において機能に基づいて各実施例のステップ、及び組成を一般的に説明している。これらの機能はハードウェアそれともソフトウェアで実行するかは、技術案の特定運用と設計制約に依存する。当業者は、各特定した運用に基づいて異なる方法を使用して記載されている機能を実現することができるが、このような実現は、本発明の範囲外というわけではない。
【０２５５】
当業者は、上記に記載されているマルチメディア情報再生方法の実施例、標準化サーバの実施例、及び生放送端末の実施例は参考し合うことが可能であることを、明確に理解すべきであり、説明の便利と簡潔のために、ここでそれ以上を述べない。
【０２５６】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２５７】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２５８】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記の統合するユニットは、ハードウェアで実現されても良く、ソフトウェア機能ユニットで実現しても良い。
【０２５９】
前記統合するユニットは、ソフトウェア機能モジュールの方式で実現し、しかも独立な製品として販売又は使用する時に、コンピュータ読み取り可能の記憶媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２６０】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020162141.tif 000004
【図２ａ】
2020162141.tif 000005
【図２ｂ】
2020162141.tif 000006
【図３】
2020162141.tif 000007
【図４】
2020162141.tif 000008
【図５】
2020162141.tif 000009
【図６】
2020162141.tif 000010
【図７】
2020162141.tif 000011
【図８】
2020162141.tif 000012
【図９】
2020162141.tif 000013
【図１０】
2020162141.tif 000014
【図１１】
2020162141.tif 000015
【図１２】
2020162141.tif 000016
【図１３】
2020162141.tif 000017
【図１４】
2020162141.tif 000018
【図１５】
2020162141.tif 000019
【図１６】
2020162141.tif 000020